(57)【要約】  実施形態で提供される描画制御方法、装置、および端末では、ユーザによって入力されたジェスチャトラックが検出され、このジェスチャトラックは、ユーザが表示画面に対する入力デバイスの非接触式の移動を制御する過程で生成されたジェスチャトラックであり、次いでジェスチャトラックに関する第1の属性情報が獲得され、次いで事前設定された規則およびジェスチャトラックに関する第1の属性情報に従ってジェスチャトラックが認識されて、ジェスチャトラックに関する第2の属性情報が獲得され、最後にジェスチャトラックに関する第2の属性情報に従ってジェスチャトラックが提示され、このようにして、ジェスチャトラックに関する第1の属性情報内で、トラックを提示するのに必要とされる特徴情報の一部が保持され、したがって、ユーザがジェスチャトラックの入力を実施するためにあらゆる種類の選択肢を頻繁に手動で切り換えることが回避され、それによって、描画操作における複雑さの問題を解決する。
2015504565.tif 000002
【特許請求の範囲】
【請求項１】
描画制御方法であって、
ユーザによって入力されたジェスチャトラックを検出するステップであって、前記ジェスチャトラックが、前記ユーザが表示画面に対する入力デバイスの非接触式の移動を制御する過程で生成されたジェスチャトラックである、検出するステップと、
前記ジェスチャトラックに関する第1の属性情報を獲得するステップであって、前記ジェスチャトラックに関する前記第1の属性情報が、端末によって認識された前記ジェスチャトラックに関する特徴情報である、獲得するステップと、
事前設定された規則および前記ジェスチャトラックに関する前記第1の属性情報に従って前記ジェスチャトラックを認識して、前記ジェスチャトラックに関する第2の属性情報を獲得するステップであって、前記ジェスチャトラックに関する前記第2の属性情報が、前記ジェスチャトラックを表示するために前記端末によって必要とされる前記特徴情報の一部またはすべてを含む、獲得するステップと、
前記ジェスチャトラックに関する前記第2の属性情報に従って前記ジェスチャトラックを提示するステップと
を含む、方法。
【請求項２】
前記ジェスチャトラックに関する前記第1の属性情報が、以下の属性、すなわち
前記ジェスチャトラック上の各点と前記表示画面との間の距離、
前記ジェスチャトラック上の各点の移動速度または加速度、および
前記ジェスチャトラック上の各点の休止時間
のうちのいずれか1つまたはそれらの組合せを含む、請求項1に記載の方法。
【請求項３】
前記ジェスチャトラックに関する前記第2の属性情報が、以下の属性、すなわち
前記ジェスチャトラック上に位置する提示すべき各点の太さ、および
前記ジェスチャトラック上に位置する提示すべき各点の透明度
のうちのいずれか1つまたはそれらの組合せを含む、請求項1または2に記載の方法。
【請求項４】
前記ジェスチャトラックに関する前記第2の属性情報に従って前記ジェスチャトラックを前記提示するステップの前に、
描画筆致タイプを獲得するステップをさらに含み、
前記ジェスチャトラックに関する前記第2の属性情報に従って前記ジェスチャトラックを前記提示するステップが、
前記ジェスチャトラックに関する前記第2の属性情報および前記描画筆致タイプに従って前記ジェスチャトラックを提示するステップを特に含む、請求項1から3のいずれか一項に記載の方法。
【請求項５】
描画筆致タイプを前記獲得するステップが、
前記ユーザによって入力された第1のジェスチャコマンドを獲得するステップと、
前記第1のジェスチャコマンドに従って前記描画筆致タイプを判定するステップと
を特に含む、請求項4に記載の方法。
【請求項６】
前記第1のジェスチャコマンドに従って前記描画筆致タイプを前記判定するステップが、
前記第1のジェスチャコマンドに従って最初のジェスチャに対応する前記描画筆致タイプを判定するステップ、または
前記第1のジェスチャコマンドに従って少なくとも1つの描画筆致タイプを提示するステップ、および
前記少なくとも1つの描画筆致タイプに関して前記ユーザによって行われた選択を受け取ることによって前記描画筆致タイプを判定するステップ
を特に含む、請求項5に記載の方法。
【請求項７】
前記ユーザによって入力された第2のジェスチャコマンドを獲得するステップと、
前記第2のジェスチャコマンドに従って描画筆致色を判定するステップとをさらに含み、
前記ジェスチャトラックに関する前記第2の属性情報に従って前記ジェスチャトラックを前記提示するステップが、
前記ジェスチャトラックに関する前記第2の属性情報および前記描画筆致色に従って前記ジェスチャトラックを提示するステップ、または
前記ジェスチャトラックに関する前記第2の属性情報、前記描画筆致タイプ、および前記描画筆致色に従って前記ジェスチャトラックを提示するステップを特に含む、
請求項1から6のいずれか一項に記載の方法。
【請求項８】
前記ジェスチャトラックに関する前記第2の属性情報に従って前記ジェスチャトラックを前記提示するステップの後に、
前記ユーザによって入力された第3のジェスチャコマンドを獲得するステップと、
前記第3のジェスチャコマンドに従って、前記提示されたジェスチャトラックの一部またはすべてを削除する動作を実行するステップと
をさらに含む、請求項1から7のいずれか一項に記載の方法。
【請求項９】
前記ジェスチャトラックに関する前記第1の属性情報が、前記ジェスチャトラック上の各点と前記表示画面との間の前記距離であり、かつ前記ジェスチャトラックに関する前記第2の属性情報が、前記ジェスチャトラック上に位置する提示すべき各点の前記太さであるとき、前記事前設定された規則が、前記ジェスチャトラック上の各点と前記表示画面との間の前記距離が短ければ短いほど、前記ジェスチャトラック上に位置する提示すべき各点の前記太さが太くなること、または前記ジェスチャトラック上の各点と前記表示画面との間の前記距離が短ければ短いほど、前記ジェスチャトラック上に位置する提示すべき各点の前記太さが細くなることである、請求項1から8のいずれか一項に記載の方法。
【請求項１０】
前記ジェスチャトラックに関する前記第1の属性情報が前記ジェスチャトラック上の各点と前記表示画面との間の前記距離であり、かつ前記ジェスチャトラックに関する前記第2の属性情報が前記ジェスチャトラック上に位置する提示すべき各点の前記透明度であるとき、前記事前設定された規則が、前記ジェスチャトラック上の各点と前記表示画面との間の前記距離が短ければ短いほど、前記ジェスチャトラック上に位置する提示すべき各点の前記透明度が低くなること、または前記ジェスチャトラック上の各点と前記表示画面との間の前記距離が短ければ短いほど、前記ジェスチャトラック上に位置する提示すべき各点の前記透明度が高くなることである、請求項1から8のいずれか一項に記載の方法。
【請求項１１】
前記ジェスチャトラックに関する前記第1の属性情報が前記ジェスチャトラックの前記移動速度または前記加速度であり、かつ前記ジェスチャトラックに関する前記第2の属性情報が前記ジェスチャトラック上に位置する提示すべき各点の前記太さであるとき、前記事前設定された規則が、前記ジェスチャトラックの前記移動速度または前記加速度が低ければ低いほど、前記ジェスチャトラック上に位置する提示すべき各点の前記太さが太くなること、または前記ジェスチャトラック上の各点と前記表示画面との間の前記距離が短ければ短いほど、前記ジェスチャトラック上に位置する提示すべき各点の前記太さが細くなることである、請求項1から8のいずれか一項に記載の方法。
【請求項１２】
前記ジェスチャトラックに関する前記第1の属性情報が前記ジェスチャトラック上の各点の前記休止時間であり、かつ前記ジェスチャトラックに関する前記第2の属性情報が前記ジェスチャトラック上に位置する提示すべき各点の前記太さであるとき、前記事前設定された規則が、前記ジェスチャトラック上の各点の前記休止時間が長ければ長いほど、前記ジェスチャトラック上に位置する提示すべき各点の前記太さが太くなること、または前記ジェスチャトラック上の各点の前記休止時間が長ければ長いほど、前記ジェスチャトラック上に位置する提示すべき各点の前記太さが細くなることである、請求項1から8のいずれか一項に記載の方法。
【請求項１３】
ユーザによって入力されたジェスチャトラックを検出するように構成された検出モジュールであって、前記ジェスチャトラックが、前記ユーザが表示画面に対する入力デバイスの非接触式の移動を制御する過程で生成されたジェスチャトラックである、検出モジュールと、
前記検出モジュールによって検出された前記ジェスチャトラックに従って前記ジェスチャトラックに関する第1の属性情報を獲得するように構成された第1の属性情報獲得モジュールであって、前記ジェスチャトラックに関する前記第1の属性情報が、端末によって認識された前記ジェスチャトラックに関する特徴情報である、第1の属性情報獲得モジュールと、
事前設定された規則および前記第1の属性情報獲得モジュールによって獲得された前記ジェスチャトラックに関する前記第1の属性情報に従って前記ジェスチャトラックを認識して、前記ジェスチャトラックに関する第2の属性情報を獲得するように構成された第2の属性情報獲得モジュールであって、前記ジェスチャトラックに関する前記第2の属性情報が、前記ジェスチャトラックを表示するために前記端末によって必要とされる前記特徴情報の一部またはすべてを含む、第2の属性情報獲得モジュールと、
前記第2の属性情報獲得モジュールによって獲得された前記ジェスチャトラックに関する前記第2の属性情報に従って前記ジェスチャトラックを提示するように構成された提示モジュールと
を備える描画制御装置。
【請求項１４】
前記ジェスチャトラックに関する前記第1の属性情報が、以下の属性、すなわち
前記ジェスチャトラック上の各点と前記表示画面との間の距離、
前記ジェスチャトラック上の各点の移動速度または加速度、および
前記ジェスチャトラック上の各点の休止時間
のうちのいずれか1つまたはそれらの組合せを含む、請求項13に記載の描画制御装置。
【請求項１５】
前記ジェスチャトラックに関する前記第2の属性情報が、以下の属性、すなわち
前記ジェスチャトラック上に位置する提示すべき各点の太さ、および
前記ジェスチャトラック上に位置する提示すべき各点の透明度
のうちのいずれか1つまたはそれらの組合せを含む、請求項13または14に記載の描画制御装置。
【請求項１６】
描画筆致タイプを獲得するように構成された描画筆致タイプ獲得モジュールをさらに備え、
前記提示モジュールが、前記第2の属性情報獲得モジュールによって獲得された前記ジェスチャトラックに関する前記第2の属性情報および前記描画筆致タイプ獲得モジュールによって獲得された前記描画筆致タイプに従って前記ジェスチャトラックを提示するように特に構成されている、
請求項13から15のいずれか一項に記載の描画制御装置。
【請求項１７】
前記ユーザによって入力された第1のジェスチャコマンドを獲得するように構成されたジェスチャコマンド獲得モジュールをさらに備え、
前記描画筆致タイプ獲得モジュールが、前記ジェスチャコマンド獲得モジュールによって獲得された前記第1のジェスチャコマンドに従って前記描画筆致タイプを判定するように特に構成されている、
請求項16に記載の描画制御装置。
【請求項１８】
前記描画筆致タイプ獲得モジュールが、
前記ジェスチャコマンド獲得モジュールによって獲得された前記第1のジェスチャコマンドに従って最初のジェスチャに対応する前記描画筆致タイプを判定すること、または
前記ジェスチャコマンド獲得モジュールによって獲得された前記第1のジェスチャコマンドに従って少なくとも1つの描画筆致タイプを提示すること、および
前記少なくとも1つの描画筆致タイプに関して前記ユーザによって行われた選択を受け取ることによって、前記描画筆致タイプを判定すること
を行うように特に構成されている、請求項17に記載の描画制御装置。
【請求項１９】
前記ジェスチャコマンド獲得モジュールが、前記ユーザによって入力された第2のジェスチャコマンドを獲得するようにさらに構成され、
前記描画制御装置が、
前記ジェスチャコマンド獲得モジュールによって獲得された前記第2のジェスチャコマンドに従って描画筆致色を判定するように構成された描画筆致色獲得モジュールをさらに備え、
前記提示モジュールが、前記ジェスチャトラックに関する前記第2の属性情報および前記描画筆致色に従って前記ジェスチャトラックを提示すること、または前記ジェスチャトラックに関する前記第2の属性情報、前記描画筆致タイプ、および前記描画筆致色に従って前記ジェスチャトラックを提示することを行うように特に構成されている、
請求項13から18のいずれか一項に記載の描画制御装置。
【請求項２０】
前記ジェスチャコマンド獲得モジュールが、前記ユーザによって入力された第3のジェスチャコマンドを獲得するようにさらに構成され、
前記描画制御装置が、前記ジェスチャコマンド獲得モジュールによって獲得された前記第3のジェスチャコマンドに従って、前記提示されたジェスチャトラックの一部またはすべてを削除する動作を実行するように構成された削除モジュールをさらに備える、
請求項13から19のいずれか一項に記載の描画制御装置。
【請求項２１】
端末であって、
ユーザによって入力されたジェスチャトラックを検出するように構成された入力装置であって、前記ジェスチャトラックが、前記ユーザが表示画面に対する入力デバイスの非接触式の移動を制御する過程で生成されたジェスチャトラックである、入力装置と、
前記入力装置によって獲得された前記ジェスチャトラックに関する第1の属性情報を解析するように構成された中央処理装置であって、前記ジェスチャトラックに関する前記第1の属性情報が、前記端末によって認識された前記ジェスチャトラックに関する特徴情報とを備え、
前記中央処理装置が、事前設定された規則および前記ジェスチャトラックに関する前記第1の属性情報に従って前記ジェスチャトラックを認識して、前記ジェスチャトラックに関する第2の属性情報を獲得するようにさらに構成され、前記ジェスチャトラックに関する前記第2の属性情報が、前記ジェスチャトラックを表示するために前記端末によって必要とされる前記特徴情報の一部またはすべてを含み、
前記端末が、
前記中央処理装置によって獲得された前記ジェスチャトラックに関する前記第2の属性情報に従って前記ジェスチャトラックを提示するように構成された表示画面と、
前記事前設定された規則を記憶するように構成されたメモリとをさらに備える、
端末。
【請求項２２】
前記ジェスチャトラックに関する前記第1の属性情報が、以下の属性、すなわち
前記ジェスチャトラック上の各点と前記表示画面との間の距離、
前記ジェスチャトラック上の各点の移動速度または加速度、および
前記ジェスチャトラック上の各点の休止時間
のうちのいずれか1つまたはそれらの組合せを含む、請求項21に記載の端末。
【請求項２３】
前記ジェスチャトラックに関する前記第2の属性情報が、以下の属性、すなわち
前記ジェスチャトラック上に位置する提示すべき各点の太さ、および
前記ジェスチャトラック上に位置する提示すべき各点の透明度
のうちのいずれか1つまたはそれらの組合せを含む、請求項21または22に記載の端末。
【請求項２４】
前記中央処理装置が、描画筆致タイプを獲得するようにさらに構成され、
前記表示画面が、前記ジェスチャトラックに関する前記第2の属性情報および前記描画筆致タイプに従って前記ジェスチャトラックを提示するように特に構成されている、
請求項21から23のいずれか一項に記載の端末。
【請求項２５】
前記入力装置が、前記ユーザによって入力された第1のジェスチャコマンドを獲得するようにさらに構成され、
前記中央処理装置が、前記入力装置によって獲得された前記第1のジェスチャコマンドに従って前記描画筆致タイプを判定するように特に構成されている、
請求項24に記載の端末。
【請求項２６】
前記中央処理装置が、
前記入力装置によって獲得された前記第1のジェスチャコマンドに従って最初のジェスチャに対応する前記描画筆致タイプを判定すること、または
前記入力装置によって獲得された前記第1のジェスチャコマンドに従って少なくとも1つの描画筆致タイプを提示すること、および
前記少なくとも1つの描画筆致タイプに関して前記ユーザによって行われた選択を前記入力装置によって受け取ることによって、前記描画筆致タイプを判定することを行うように特に構成されている、請求項25に記載の方法。
【請求項２７】
前記入力装置が、前記ユーザによって入力された第2のジェスチャコマンドを獲得するようにさらに構成され、
前記中央処理装置が、前記入力装置によって獲得された前記第2のジェスチャコマンドに従って描画筆致色を判定するようにさらに構成され、
前記表示画面が、前記ジェスチャトラックに関する前記第2の属性情報および前記描画筆致色に従って前記ジェスチャトラックを提示すること、または前記ジェスチャトラックに関する前記第2の属性情報、前記描画筆致タイプ、および前記描画筆致色に従って前記ジェスチャトラックを提示することを行うように特に構成されている、
請求項21から26のいずれか一項に記載の端末。
【請求項２８】
前記入力装置が、前記ユーザによって入力された第3のジェスチャコマンドを獲得するようにさらに構成され、
前記中央処理装置が、前記入力装置によって獲得された前記第3のジェスチャコマンドに従って、前記提示されたジェスチャトラックのすべてまたは一部を削除する動作を実行するよう前記表示画面に指示するようにさらに構成されている、
請求項21から27のいずれか一項に記載の端末。
【発明の詳細な説明】
【技術分野】
【０００１】
本発明は、モバイル通信技術に関し、詳細には、描画制御方法、装置、および端末に関する。
【背景技術】
【０００２】
端末デバイスの人気により、タッチ式の対話は、スマートモバイルデバイスにおける基本動作モードになった。タッチには制限があり、またスマートモバイルデバイス上で複数のタイプのセンサを一体化して使用する傾向があるため、ますます多くのタッチ式でない対話動作モードが可能になっている。
【０００３】
端末デバイス上では、既存の描画ツール内でストロークの太さおよび透明度を変更するとき、ユーザは手動で選択を行う必要がある。既存のタッチスクリーン式の描画では、描画を行う前には、ストロークの太さおよび透明度が選択され、または描画を行った後には、選択をクリックすることによってストロークの太さおよび透明度が変更される。このように、パターンを描画するには、筆致タイプ、太さ、透明度、および色などの複数の選択肢を選択する必要があり、したがってこれらの動作は複雑になる。
【発明の概要】
【発明が解決しようとする課題】
【０００４】
したがって、本発明の実施形態は、描画操作における複雑さの問題を解決するための描画制御方法、装置、および端末を提供する。
【課題を解決するための手段】
【０００５】
第1の態様では、本発明の一実施形態は、描画制御方法を提供し、この方法は、ユーザによって入力されたジェスチャトラックを検出するステップであって、このジェスチャトラックが、ユーザが表示画面に対する入力デバイスの非接触式の移動を制御する過程で生成されたジェスチャトラックである、検出するステップと、ジェスチャトラックに関する第1の属性情報を獲得するステップであって、ジェスチャトラックに関する第1の属性情報が、端末によって認識されたジェスチャトラックに関する特徴情報である、獲得するステップと、事前設定された規則およびジェスチャトラックに関する第1の属性情報に従ってジェスチャトラックを認識して、ジェスチャトラックに関する第2の属性情報を獲得するステップであって、ジェスチャトラックに関する第2の属性情報が、ジェスチャトラックを表示するために端末によって必要とされる特徴情報の一部またはすべてを含む、獲得するステップと、ジェスチャトラックに関する第2の属性情報に従ってジェスチャトラックを提示するステップとを含む。
【０００６】
第1の態様の第1の可能な実装形態では、ジェスチャトラックに関する第1の属性情報は、以下の属性、すなわちジェスチャトラック上の各点と表示画面との間の距離、ジェスチャトラック上の各点の移動速度または加速度、およびジェスチャトラック上の各点の休止時間のうちのいずれか1つまたはそれらの組合せを含む。
【０００７】
第1の態様または第1の態様の第1の実装形態と組み合わせて、第1の態様の第2の可能な実装形態では、ジェスチャトラックに関する第2の属性情報は、以下の属性、すなわちジェスチャトラック上に位置する提示すべき各点の太さ、およびジェスチャトラック上に位置する提示すべき各点の透明度のうちのいずれか1つまたはそれらの組合せを含む。
【０００８】
第1の態様、または第1の態様の第1の可能な実装形態、もしくは第1の態様の第2の可能な実装形態もしくは第3の態様の第1の可能な実装形態と組み合わせて、第1の態様の第3の可能な実装形態では、ジェスチャトラックに関する第2の属性情報に従ってジェスチャトラックを提示するステップの前に、この方法は、描画筆致タイプを獲得するステップをさらに含み、ジェスチャトラックに関する第2の属性情報に従ってジェスチャトラックを提示するステップは、ジェスチャトラックに関する第2の属性情報および描画筆致タイプに従ってジェスチャトラックを提示するステップを特に含む。
【０００９】
第1の態様の第3の実装形態によれば、第1の態様の第4の可能な実装形態では、描画筆致タイプを獲得するステップは、ユーザによって入力された第1のジェスチャコマンドを獲得するステップと、第1のジェスチャコマンドに従って描画筆致タイプを判定するステップとを特に含む。
【００１０】
第1の態様の第4の実装形態によれば、第1の態様の第5の可能な実装形態では、第1のジェスチャコマンドに従って描画筆致タイプを判定するステップは、第1のジェスチャコマンドに従って最初のジェスチャに対応する描画筆致タイプを判定するステップ、または第1のジェスチャコマンドに従って少なくとも1つの描画筆致タイプを提示するステップ、および少なくとも1つの描画筆致タイプに関してユーザによって行われた選択を受け取ることによって描画筆致タイプを判定するステップを特に含む。
【００１１】
第1の態様および上記の可能な実装形態と組み合わせて、第1の態様の第6の可能な実装形態では、この方法は、ユーザによって入力された第2のジェスチャコマンドを獲得するステップと、第2のジェスチャコマンドに従って描画筆致色を判定するステップとをさらに含み、ジェスチャトラックに関する第2の属性情報に従ってジェスチャトラックを提示するステップは、ジェスチャトラックに関する第2の属性情報および描画筆致色に従ってジェスチャトラックを提示するステップ、またはジェスチャトラックに関する第2の属性情報、描画筆致タイプ、および描画筆致色に従ってジェスチャトラックを提示するステップを特に含む。
【００１２】
第1の態様および上記の可能な実装形態と組み合わせて、第1の態様の第7の可能な実装形態では、ジェスチャトラックに関する第2の属性情報に従ってジェスチャトラックを提示するステップの後に、この方法は、ユーザによって入力された第3のジェスチャコマンドを獲得するステップと、第3のジェスチャコマンドに従って、提示されたジェスチャトラックの一部またはすべてを削除する動作を実行するステップとをさらに含む。
【００１３】
第1の態様および上記の可能な実装形態と組み合わせて、第1の態様の第8の可能な実装形態では、ジェスチャトラックに関する第1の属性情報がジェスチャトラック上の各点と表示画面との間の距離であり、かつジェスチャトラックに関する第2の属性情報がジェスチャトラック上に位置する提示すべき各点の太さであるとき、事前設定された規則は、ジェスチャトラック上の各点と表示画面との間の距離が短ければ短いほど、ジェスチャトラック上に位置する提示すべき各点の太さが太くなること、またはジェスチャトラック上の各点と表示画面との間の距離が短ければ短いほど、ジェスチャトラック上に位置する提示すべき各点の太さが細くなることである。
【００１４】
第1の態様および上記の可能な実装形態と組み合わせて、第1の態様の第9の可能な実装形態では、ジェスチャトラックに関する第1の属性情報がジェスチャトラック上の各点と表示画面との間の距離であり、かつジェスチャトラックに関する第2の属性情報がジェスチャトラック上に位置する提示すべき各点の透明度であるとき、事前設定された規則は、ジェスチャトラック上の各点と表示画面との間の距離が短ければ短いほど、ジェスチャトラック上に位置する提示すべき各点の透明度が低くなること、またはジェスチャトラック上の各点と表示画面との間の距離が短ければ短いほど、ジェスチャトラック上に位置する提示すべき各点の透明度が高くなることである。
【００１５】
第1の態様および上記の可能な実装形態と組み合わせて、第1の態様の第10の可能な実装形態では、ジェスチャトラックに関する第1の属性情報がジェスチャトラックの移動速度または加速度であり、かつジェスチャトラックに関する第2の属性情報がジェスチャトラック上に位置する提示すべき各点の太さであるとき、事前設定された規則は、ジェスチャトラックの移動速度または加速度が低ければ低いほど、ジェスチャトラック上に位置する提示すべき各点の太さが太くなること、またはジェスチャトラック上の各点と表示画面との間の距離が短ければ短いほど、ジェスチャトラック上に位置する提示すべき各点の太さが細くなることである。
【００１６】
第1の態様および上記の可能な実装形態と組み合わせて、第1の態様の第11の可能な実装形態では、ジェスチャトラックに関する第1の属性情報がジェスチャトラック上の各点の休止時間であり、ジェスチャトラックに関する第2の属性情報がジェスチャトラック上に位置する提示すべき各点の太さであるとき、事前設定された規則は、ジェスチャトラック上の各点の休止時間が長ければ長いほど、ジェスチャトラック上に位置する提示すべき各点の太さが太くなること、またはジェスチャトラック上の各点の休止時間が長ければ長いほど、ジェスチャトラック上に位置する提示すべき各点の太さが細くなることである。
【００１７】
第2の態様では、描画制御装置が提供され、この描画制御装置は、ユーザによって入力されたジェスチャトラックを検出するように構成された検出モジュールであって、このジェスチャトラックが、ユーザが表示画面に対する入力デバイスの非接触式の移動を制御する過程で生成されたジェスチャトラックである、検出モジュールと、検出モジュールによって検出されたジェスチャトラックに従ってジェスチャトラックに関する第1の属性情報を獲得するように構成された第1の属性情報獲得モジュールであって、ジェスチャトラックに関する第1の属性情報が、端末によって認識されたジェスチャトラックに関する特徴情報である、第1の属性情報獲得モジュールと、事前設定された規則および第1の属性情報獲得モジュールによって獲得されたジェスチャトラックに関する第1の属性情報に従ってジェスチャトラックを認識して、ジェスチャトラックに関する第2の属性情報を獲得するように構成された第2の属性情報獲得モジュールであって、ジェスチャトラックに関する第2の属性情報が、ジェスチャトラックを表示するために端末によって必要とされる特徴情報の一部またはすべてを含む、第2の属性情報獲得モジュールと、第2の属性情報獲得モジュールによって獲得されたジェスチャトラックに関する第2の属性情報に従ってジェスチャトラックを提示するように構成された提示モジュールとを含む。
【００１８】
第2の態様によれば、第2の態様の第1の可能な実装形態では、ジェスチャトラックに関する第1の属性情報は、以下の属性、すなわちジェスチャトラック上の各点と表示画面との間の距離、ジェスチャトラック上の各点の移動速度または加速度、およびジェスチャトラック上の各点の休止時間のうちのいずれか1つまたはそれらの組合せを含む。
【００１９】
第2の態様または第2の態様の第1の可能な実装形態と組み合わせて、第2の態様の第2の可能な実装形態では、ジェスチャトラックに関する第2の属性情報は、以下の属性、すなわちジェスチャトラック上に位置する提示すべき各点の太さ、およびジェスチャトラック上に位置する提示すべき各点の透明度のうちのいずれか1つまたはそれらの組合せを含む。
【００２０】
第2の態様および上記の可能な実装形態と組み合わせて、第2の態様の第3の可能な実装形態では、描画制御装置は、描画筆致タイプを獲得するように構成された描画筆致タイプ獲得モジュールをさらに含み、提示モジュールは、第2の属性情報獲得モジュールによって獲得されたジェスチャトラックに関する第2の属性情報および描画筆致タイプ獲得モジュールによって獲得された描画筆致タイプに従ってジェスチャトラックを提示するように特に構成されている。
【００２１】
第2の態様の第3の実装形態によれば、第2の態様の第4の可能な実装形態では、描画制御装置は、ユーザによって入力された第1のジェスチャコマンドを獲得するように構成されたジェスチャコマンド獲得モジュールをさらに含み、描画筆致タイプ獲得モジュールは、ジェスチャコマンド獲得モジュールによって獲得された第1のジェスチャコマンドに従って描画筆致タイプを判定するように特に構成されている。
【００２２】
第2の態様の第4の可能な実装形態によれば、第2の態様の第5の可能な実装形態では、描画筆致タイプ獲得モジュールは、ジェスチャコマンド獲得モジュールによって獲得された第1のジェスチャコマンドに従って最初のジェスチャに対応する描画筆致タイプを判定すること、またはジェスチャコマンド獲得モジュールによって獲得された第1のジェスチャコマンドに従って少なくとも1つの描画筆致タイプを提示すること、および少なくとも1つの描画筆致タイプに関してユーザによって行われた選択を受け取ることによって描画筆致タイプを判定することを行うように特に構成されている。
【００２３】
第2の態様および第2の態様の上記の可能な実装形態と組み合わせて、第2の態様の第6の可能な実装形態では、ジェスチャコマンド獲得モジュールは、ユーザによって入力された第2のジェスチャコマンドを獲得するようにさらに構成され、描画制御装置は、ジェスチャコマンド獲得モジュールによって獲得された第2のジェスチャコマンドに従って描画筆致色を判定するように構成された描画筆致色獲得モジュールをさらに含み、提示モジュールは、ジェスチャトラックに関する第2の属性情報および描画筆致色に従ってジェスチャトラックを提示すること、またはジェスチャトラックに関する第2の属性情報、描画筆致タイプ、および描画筆致色に従ってジェスチャトラックを提示することを行うように特に構成されている。
【００２４】
第2の態様および第2の態様の上記の可能な実装形態と組み合わせて、第2の態様の第7の可能な実装形態では、ジェスチャコマンド獲得モジュールは、ユーザによって入力された第3のジェスチャコマンドを獲得するようにさらに構成され、描画制御装置は、ジェスチャコマンド獲得モジュールによって獲得された第3のジェスチャコマンドに従って、提示されたジェスチャトラックの一部またはすべてを削除する動作を実行するように構成された削除モジュールをさらに含む。
【００２５】
第3の態様では、端末が提供され、この端末は、ユーザによって入力されたジェスチャトラックを検出するように構成された入力装置であって、このジェスチャトラックが、ユーザが表示画面に対する入力デバイスの非接触式の移動を制御する過程で生成されたジェスチャトラックである、入力装置と、入力装置によって獲得されたジェスチャトラックに関する第1の属性情報を解析するように構成された中央処理装置であって、ジェスチャトラックに関する第1の属性情報が、端末によって認識されたジェスチャトラックに関する特徴情報であり、中央処理装置が、事前設定された規則およびジェスチャトラックに関する第1の属性情報に従ってジェスチャトラックを認識して、ジェスチャトラックに関する第2の属性情報を獲得するようにさらに構成され、ジェスチャトラックに関する第2の属性情報が、ジェスチャトラックを表示するために端末によって必要とされる特徴情報の一部またはすべてを含む、中央処理装置と、中央処理装置によって獲得されたジェスチャトラックに関する第2の属性情報に従ってジェスチャトラックを提示するように構成された表示画面と、事前設定された規則を記憶するように構成されたメモリとを含む。
【００２６】
第3の態様によれば、第3の態様の第1の可能な実装形態では、ジェスチャトラックに関する第1の属性情報は、以下の属性、すなわちジェスチャトラック上の各点と表示画面との間の距離、ジェスチャトラック上の各点の移動速度または加速度、およびジェスチャトラック上の各点の休止時間のうちのいずれか1つまたはそれらの組合せを含む。
【００２７】
第3の態様または第3の態様の第1の可能な実装形態と組み合わせて、第3の態様の第2の可能な実装形態では、ジェスチャトラックに関する第2の属性情報は、以下の属性、すなわちジェスチャトラック上に位置する提示すべき各点の太さ、およびジェスチャトラック上に位置する提示すべき各点の透明度のうちのいずれか1つまたはそれらの組合せを含む。
【００２８】
第3の態様および第3の態様の上記の可能な実装形態と組み合わせて、第3の態様の第3の可能な実装形態では、中央処理装置は、描画筆致タイプを獲得するようにさらに構成され、表示画面は、ジェスチャトラックに関する第2の属性情報および描画筆致タイプに従ってジェスチャトラックを提示するように特に構成されている。
【００２９】
第3の態様の第3の可能な実装形態によれば、第3の態様の第4の可能な実装形態では、入力装置は、ユーザによって入力された第1のジェスチャコマンドを獲得するようにさらに構成され、中央処理装置は、入力装置によって獲得された第1のジェスチャコマンドに従って描画筆致タイプを判定するように特に構成されている。
【００３０】
第3の態様の第4の可能な実装形態によれば、第3の態様の第5の可能な実装形態では、中央処理装置は、入力装置によって獲得された第1のジェスチャコマンドに従って最初のジェスチャに対応する描画筆致タイプを判定すること、または入力装置によって獲得された第1のジェスチャコマンドに従って少なくとも1つの描画筆致タイプを提示すること、および少なくとも1つの描画筆致タイプに関してユーザによって行われた選択を入力装置によって受け取ることによって描画筆致タイプを判定することを行うように特に構成されている。
【００３１】
第3の態様および第3の態様の上記の可能な実装形態によれば、第3の態様の第6の可能な実装形態では、入力装置は、ユーザによって入力された第2のジェスチャコマンドを獲得するようにさらに構成され、中央処理装置は、入力装置によって獲得された第2のジェスチャコマンドに従って描画筆致色を判定するようにさらに構成され、表示画面は、ジェスチャトラックに関する第2の属性情報および描画筆致色に従ってジェスチャトラックを提示すること、またはジェスチャトラックに関する第2の属性情報、描画筆致タイプ、および描画筆致色に従ってジェスチャトラックを提示することを行うように特に構成されている。
【００３２】
第3の態様および第3の態様の上記の可能な実装形態によれば、第3の態様の第7の可能な実装形態では、入力装置は、ユーザによって入力された第3のジェスチャコマンドを獲得するようにさらに構成され、中央処理装置は、入力装置によって獲得された第3のジェスチャコマンドに従って、提示されたジェスチャトラックのすべてまたは一部を削除する動作を実行するように表示画面に指示するようにさらに構成されている。
【００３３】
これらの実施形態で提供される描画制御方法、装置、および端末では、ユーザによって入力されたジェスチャトラックが検出され、このジェスチャトラックは、ユーザが表示画面に対する入力デバイスの非接触式の移動を制御する過程で生成されたジェスチャトラックであり、ジェスチャトラックに関する第1の属性情報が獲得され、次いで事前設定された規則およびジェスチャトラックに関する第1の属性情報に従ってジェスチャトラックが認識され、ジェスチャトラックに関する第2の属性情報が獲得され、最後にジェスチャトラックに関する第2の属性情報に従ってジェスチャトラックが提示され、このようにして、ジェスチャトラックに関する第1の属性情報内で、トラックを提示するのに必要とされる特徴情報の一部が保持され、したがって、ユーザがジェスチャトラックの入力を実施するためにあらゆる種類の選択肢を頻繁に手動で切り換えることが回避され、それによって描画操作における複雑さの問題を解決する。
【００３４】
本発明の実施形態または従来技術による技術的な解決策をより明瞭に示すために、実施形態または従来技術について説明する添付の図面を、以下で簡単に紹介する。以下の説明における添付の図面は、本発明のいくつかの実施形態のみに関し、当業者であれば、創造的努力を要することなく添付の図面から他の図面を導出できることが明らかである。
【図面の簡単な説明】
【００３５】
【図１】本発明の一実施形態で提供される描画制御方法の流れ図である。
【図１Ａ】本発明の一実施形態に提示されるジェスチャトラックの概略図である。
【図１Ｂ】本発明の一実施形態に提示されるジェスチャトラックの概略図である。
【図１Ｃ】本発明の一実施形態に提示されるジェスチャトラックの概略図である。
【図１Ｄ】本発明の一実施形態に提示されるジェスチャトラックの概略図である。
【図１Ｅ】本発明の一実施形態に提示されるジェスチャトラックの概略図である。
【図１Ｆ】本発明の一実施形態に提示されるジェスチャトラックの概略図である。
【図２】本発明の別の実施形態で提供される描画制御方法の流れ図である。
【図３】本発明のさらに別の実施形態で提供される描画制御方法の流れ図である。
【図４】本発明のさらに別の実施形態で提供される描画制御方法の流れ図である。
【図５】本発明のさらに別の実施形態で提供される描画制御方法の流れ図である。
【図６】本発明の一実施形態の描画制御装置の概略構造図である。
【図７】本発明の一実施形態の描画制御装置の概略構造図である。
【図８】本発明の一実施形態の描画制御装置の概略構造図である。
【図９】本発明の一実施形態の描画制御装置の概略構造図である。
【図１０】本発明の一実施形態の描画制御装置の概略構造図である。
【図１１】本発明の一実施形態の端末の概略構造図である。
【発明を実施するための形態】
【００３６】
本発明の実施形態の目的、技術的な解決策、および利点をより理解しやすくするために、本発明の実施形態による技術的な解決策について、添付の図面を参照して以下で明瞭かつ詳細に説明する。以下の説明の実施形態は、本発明の実施形態のすべてではなく一部にすぎないことは明らかである。本発明の実施形態に基づいて創造的努力を要することなく当業者であれば得られる他のあらゆる実施形態も、本発明の保護範囲内に入るものとする。
【００３７】
本発明の各実施形態における実行本体は端末である。端末は、固定の端末、たとえばデスクトップコンピュータもしくはテレビジョンとすることができ、またはモバイル端末、たとえばタブレットコンピュータもしくはモバイルフォンとすることができ、さらにはプロジェクタとすることができる。本発明の各実施形態における端末は、非接触式のタッチ制御をサポートすることができ、当然ながら、接触式のタッチ制御もサポートすることができる。非接触式のタッチ制御または接触式のタッチ制御中、表示画面または端末は、指と画面との間の距離、指の移動速度または加速度、および指の休止時間などを検出することができる。
【００３８】
本発明のすべての実施形態に含まれるジェスチャは、端末との直接接触後に認識されるジェスチャ、たとえば表示画面の表面上のシングルクリック、ダブルクリック、移動などとすることができ、または端末に直接タッチすることなく端末によって認識されるジェスチャ、たとえば手が表示画面の前を移動する動作を含めて、端末の表示画面付近を移動するときに認識されるジェスチャとすることができる。
【００３９】
図1は、本発明の一実施形態で提供される描画制御方法の流れ図である。図1に示すように、この実施形態の方法は、以下のステップを含む。
【００４０】
ステップ100:ユーザによって入力されたジェスチャトラックを検出する。このジェスチャトラックは、ユーザが表示画面に対する入力デバイスの非接触式の移動を制御する過程で生成されたジェスチャトラックである。
【００４１】
ジェスチャトラックは、ユーザが表示画面に対する入力デバイスの非接触式の移動を制御する過程で生成されたジェスチャトラックであることに留意されたい。この状況で、入力デバイスは、ユーザの指または別の部分を端末によって認識できる限り、ユーザの指または別の部分である。
【００４２】
さらに、ジェスチャトラックはまた、ユーザが表示画面に対する入力デバイスの接触式の移動を制御する過程で生成されたジェスチャトラックとすることもでき、その場合、入力デバイスは、手書きペン、スタイラス、タッチスクリーンペン、タッチペン、またはモバイルフォンペンなど、タッチスクリーン式のデバイスに使用される入力デバイスとすることができる。この時点で、ジェスチャトラックに関する第1の属性情報は、以下の属性、すなわちジェスチャトラック上の各点の移動速度または加速度、およびジェスチャトラック上の各点の休止時間のうちのいずれか1つまたはそれらの組合せを含む。
【００４３】
ステップ200:ジェスチャトラックに関する第1の属性情報を獲得する。
【００４４】
ジェスチャトラックに関する第1の属性情報は、端末によって認識されたジェスチャトラックに関する特徴情報であり、特に、ジェスチャトラックに関する特徴情報を認識するために、端末の表示画面、様々なセンサ、またはマイクロフォンなどのハードウェアを使用することができることに留意されたい。たとえば、ジェスチャトラックに関する第1の属性情報は、以下の属性、すなわちジェスチャトラック上の各点と表示画面との間の距離、ジェスチャトラックの移動速度または加速度、およびジェスチャトラック上の各点の休止時間のうちのいずれか1つまたはそれらの組合せを含む。上記の第1の属性情報は単なる一例であり、他の属性情報をさらに使用することもでき、すなわち本発明の実施形態では、ジェスチャトラックを認識するために端末によって使用されるすべての属性情報を適用することができ、これは本発明の実施形態の保護範囲内に入る。
【００４５】
ステップ300:事前設定された規則およびジェスチャトラックに関する第1の属性情報に従ってジェスチャトラックを認識して、ジェスチャトラックに関する第2の属性情報を獲得する。
【００４６】
ジェスチャトラックに関する第2の属性情報は、ジェスチャトラックを表示するために端末によって必要とされる特徴情報の一部またはすべてを含むことに留意されたい。たとえば、ジェスチャトラックに関する第2の属性情報は、以下の属性、すなわちジェスチャトラック上に位置する提示すべき各点の太さ、およびジェスチャトラック上に位置する提示すべき各点の透明度のうちのいずれか1つまたはそれらの組合せを含む。上記の第2の属性情報は単なる一例であり、他の属性情報をさらに使用することもでき、すなわち本発明の実施形態では、ジェスチャトラックを表示するために端末によって必要とされるすべての特徴情報を適用することができ、これは本発明の実施形態の保護範囲内に入る。
【００４７】
事前設定された規則は、ジェスチャトラックに関する第1の属性情報とジェスチャトラックに関する第2の属性情報との間の事前に記憶された対応関係であり、事前設定された規則は、端末が工場によって配送されるときに設定することができ、またはサーバからネットワークを通じてローカル端末へダウンロードすることができる。
【００４８】
ジェスチャトラックに関する第1の属性情報とジェスチャトラックに関する第2の属性情報との間の対応関係は離散的なものとすることができ、すなわちジェスチャトラックに関する第1の属性情報は異なる間隔に分割され、各間隔はジェスチャトラックに関する第2の属性情報の値に対応する;またはこの対応関係は連続的なものとすることができ、すなわち間隔に分割されないが、変換係数が事前設定され、この変換係数を使用してジェスチャトラックに関する第1の属性情報を変換してジェスチャトラックに関する第2の属性情報を取得し、すなわちジェスチャトラックに関する第1の属性情報に事前設定された変換係数を掛けてジェスチャトラックに関する第2の属性情報を取得することにさらに留意されたい。
【００４９】
たとえば、ジェスチャトラックに関する第1の属性情報がジェスチャトラック上の各点と表示画面との間の距離であり、かつジェスチャトラックに関する第2の属性情報がジェスチャトラック上に位置する提示すべき各点の太さであるとき、事前設定された規則は、ジェスチャトラック上の各点および表示画面の間の距離とジェスチャトラック上に位置する提示すべき各点の太さとの間の対応関係であり、これは、図1Aに示すように、ジェスチャトラック上の各点と表示画面との間の距離が短ければ短いほど、ジェスチャトラック上に位置する提示すべき各点の太さが太くなることである。非接触式のタッチ制御では、画面は、指と表示画面との間の距離を検出することができる。端末が上限として指を感知できる最大距離に基づいて、指と表示画面との間の距離が複数の間隔に分割され、この距離は3つの間隔、すなわち(0,a1)、(a1,a2)、および(a2,a3)(a1<a2<a3であり、a1、a2、およびa3は距離の値を表す)に分割され、各間隔は太さの値に対応するものとする。当然ながら、事前設定された規則はまた、ジェスチャトラック上の各点と表示画面との間の距離が短ければ短いほど、ジェスチャトラック上に位置する提示すべき各点の太さが細くなることとすることもでき、これは実際の状態に従って特に設定することができる。したがって、指と表示画面との間の距離が変化すると表示画面上のトラックの太さは変化し、指と表示画面との間の距離が異なる間隔内に入ったとき、表示画面上に描画されるトラックは異なるものになり、このようにして、ユーザは、指と表示画面との間の距離を制御することによって、描画前に太さの選択肢を手動で切り換える必要なく、複数のタイプの太さの間で自由に切換えを実行することができる。
【００５０】
単一の線ストロークを描画するとき、指と表示画面との間の距離を制御することによって、単一の線ストローク内で太さが異なることによる効果を実現することもでき、それによって画像を描画するときに自由な描画を実現することができることにさらに留意されたい。図1Bに示すように、単一の線ストローク内の区間11は、指と表示画面51との間の距離が間隔(0,a1)内に入ったときに描画されたものであり、単一の線ストローク内の区間12は、指と表示画面51との間の距離が間隔(a1,a2)内に入ったときに描画されたものであり、単一の線ストローク内の区間13は、指と表示画面51との間の距離が間隔(a2,a3)内に入ったときに描画されたものであり、この描画効果は、既存の描画ツールにおける単一のストロークの入力では実現することができない。
【００５１】
ジェスチャトラック上の各点および表示画面の間の距離とジェスチャトラック上に位置する提示すべき各点の太さとの間の上記の対応関係は離散的なものであり、またはこの対応関係は連続的なものとすることができ、すなわち間隔に分割されないが、変換係数が事前設定され、この変換係数を使用してジェスチャトラック上の各点と表示画面との間の距離を変換してジェスチャトラック上に位置する提示すべき各点の太さを取得し、すなわちジェスチャトラック上の各点と表示画面との間の距離に事前設定された変換係数を掛けてジェスチャトラック上の各点の太さを取得することにさらに留意されたい。
【００５２】
たとえば、ジェスチャトラックに関する第1の属性情報がジェスチャトラック上の各点と表示画面との間の距離であり、かつジェスチャトラックに関する第2の属性情報がジェスチャトラック上に位置する提示すべき各点の透明度であるとき、事前設定された規則は、ジェスチャトラック上の各点および表示画面の間の距離とジェスチャトラック上の各点の透明度との間の対応関係であり、事前設定された規則は、図1Cに示すように、ジェスチャトラック上の各点と表示画面との間の距離が短ければ短いほど、ジェスチャトラック上に位置する提示すべき各点の透明度が低くなることである。非接触式のタッチ制御では、画面は、指と表示画面との間の距離を検出することができる。端末が上限として指を感知できる最大距離に基づいて、指と表示画面との間の距離dが複数の間隔に分割され、距離dは、4つの間隔、すなわちd>a1、a1<d<a2、a2<d<a3、およびa3<d<a4(a1<a2<a3<a4であり、a1、a2、a3、およびa4は距離の値を表す)に分割され、各間隔は透明度の値に対応するものとする。当然ながら、事前設定された規則はまた、ジェスチャトラック上の各点と表示画面との間の距離が短ければ短いほど、ジェスチャトラック上に位置する提示すべき各点の透明度が高くなることとすることもでき、これは実際の状態に従って特に設定することができる。したがって、指と表示画面との間の距離が変化すると表示画面上のトラックの透明度は変化し、指と表示画面との間の距離が異なる間隔内に入ったとき、表示画面上に描画されるトラックは異なるものになり、このようにして、ユーザは、指と表示画面との間の距離を制御することによって、描画前に透明度の選択肢を手動で切り換える必要なく、複数のタイプの透明度の間で自由に切換えを実行することができる。
【００５３】
単一の線ストロークを描画するとき、指と表示画面との間の距離を制御することによって、単一の線ストローク内で透明度が異なることによる効果を実現することもでき、それによって画像を描画するときに自由な描画を実現することができることにさらに留意されたい。図1Dに示すように、単一の線ストローク内の区間14は、指と表示画面51との間の距離dが間隔a1<d<a2内に入ったときに描画されたものであり、単一の線ストローク内の区間15は、指と表示画面51との間の距離dが間隔d>a1内に入ったときに描画されたものであり、単一の線ストローク内の区間16は、指と表示画面51との間の距離dが間隔a3<d<a4内に入ったときに描画されたものであり、この描画効果は、既存の描画ツールにおける単一のストロークの入力では実現することができない。
【００５４】
ジェスチャトラック上の各点および表示画面の間の距離とジェスチャトラック上に位置する提示すべき各点の透明度との間の上記の対応関係は離散的なものであり、またはこの対応関係は連続的なものとすることができ、すなわち間隔に分割されないが、変換係数が事前設定され、この変換係数を使用してジェスチャトラック上の各点と表示画面との間の距離を変換してジェスチャトラック上に位置する提示すべき各点の透明度を取得し、すなわちジェスチャトラック上の各点と表示画面との間の距離に事前設定された変換係数を掛けてジェスチャトラック上の各点の透明度を取得することにさらに留意されたい。
【００５５】
たとえば、ジェスチャトラックに関する第1の属性情報がジェスチャトラック上の各点の移動速度または加速度であり、ジェスチャトラックに関する第2の属性情報がジェスチャトラック上に位置する提示すべき各点の太さであるとき、事前設定された規則は、ジェスチャトラック上の各点の移動速度または加速度とジェスチャトラック上に位置する提示すべき各点の太さとの間の対応関係であり、事前設定された規則は、図1Eを参照すると、ジェスチャトラックの移動速度または加速度が低ければ低いほど、ジェスチャトラック上に位置する提示すべき各点の太さが太くなることである。非接触式のタッチ制御では、画面は、指が表示画面付近を移動する移動速度vを検出することができ、指が表示画面付近を移動する移動速度は複数の間隔に分割され、移動速度は3つの間隔、すなわちv<b1、b1<v<b2、およびv>b2(b1<b2であり、b1およびb2は速度の値を表す)に分割され、各間隔は太さの値に対応するものとする。当然ながら、事前設定された規則はまた、ジェスチャトラックの移動速度または加速度が低ければ低いほど、ジェスチャトラック上に位置する提示すべき各点の太さが細くなることとすることもでき、これは実際の状態に従って特に設定することができる。したがって、指が表示画面付近を移動する移動速度vが変化すると表示画面上に描画されるトラックの太さは変化し、指が表示画面付近を移動する移動速度vが異なる間隔内に入ったとき、表示画面上に描画されるトラックは異なるものになり、このようにして、ユーザは、指が表示画面付近を移動する移動速度vを制御することによって、描画前に太さの選択肢を手動で切り換える必要なく、複数のタイプの太さの間で自由に切換えを実行することができる。本発明の実施形態では、1枚の紙の上に描画するときにペンによって実際に行われる場合と同様に、速度を変化させてペンを移動させること、さらにはペンを休止させること、およびペンを戻すことなどの方式を使用して、太さが変化する線を画面上に描画することができる。この描画方式は、実際の紙の表面上に描画する感覚を模倣しており、通常、ユーザは学習しなくても習得することができる。
【００５６】
たとえば、ジェスチャトラックに関する第1の属性情報がジェスチャトラック上の各点の休止時間であり、かつジェスチャトラックに関する第2の属性情報がジェスチャトラック上に位置する提示すべき各点の太さであるとき、事前設定された規則は、ジェスチャトラック上の各点の休止時間とジェスチャトラック上に位置する提示すべき各点の太さとの間の対応関係であり、事前設定された規則は、図1Eを参照すると、ジェスチャトラック上の各点の休止時間が長ければ長いほど、ジェスチャトラック上に位置する提示すべき各点の太さが太くなることである。非接触式のタッチ制御では、画面は、指が表示画面付近で休止している休止時間tを検出することができ、指が表示画面付近で休止している休止時間tは複数の間隔に分割され、休止時間tは3つの間隔、すなわちt<c1、c1<t<c2、およびt>c2(c1<c2であり、c1およびc2は指が表示画面付近で休止している休止時間を表す)に分割され、各間隔は太さの値に対応するものとする。当然ながら、事前設定された規則はまた、ジェスチャトラック上の各点の休止時間が長ければ長いほど、ジェスチャトラック上に位置する提示すべき各点の太さが細くなることとすることもでき、これは実際の状態に従って特に設定することができる。したがって、指が表示画面付近で休止する休止時間tが変化すると表示画面上に描画されるトラックの太さは変化し、指が表示画面付近で休止する休止時間tが異なる間隔内に入ったとき、表示画面上に描画されるトラックは異なるものになり、このようにして、ユーザは、指が表示画面付近で休止する休止時間tを制御することによって、描画前に太さの選択肢を手動で切り換える必要なく、複数のタイプの太さの間で自由に切換えを実行することができる。
【００５７】
ジェスチャトラックに関する第1の属性情報とジェスチャトラックに関する第2の属性情報との間の対応関係について、一例によって上記で簡単に説明したが、ジェスチャトラックに関する第1の属性情報とジェスチャトラックに関する第2の属性情報との間の対応関係はまた、実際の要件に従って複雑な対応関係として設計することもでき、たとえば、ジェスチャトラックに関する第1の属性情報が、ジェスチャトラック上の各点および表示画面の間の距離とジェスチャトラック上の各点の移動速度との組合せであり、かつジェスチャトラックに関する第1の属性情報が、ジェスチャトラック上に位置する提示すべき各点の太さ、およびジェスチャトラック上に位置する提示すべき各点の透明度であるとき、事前設定された規則は、ジェスチャトラック上の各点および表示画面の間の距離と、ジェスチャトラック上の各点の移動速度と、ジェスチャトラック上に位置する提示すべき各点の太さと、ジェスチャトラック上に位置する提示すべき各点の透明度との間の対応関係である。事前設定された規則は、図1Fに示すように、ジェスチャトラック上の各点と表示画面との間の距離が短ければ短いほど、ジェスチャトラック上に位置する提示すべき各点の太さが太くなり、ジェスチャトラック上の各点の移動速度が低ければ低いほど、ジェスチャトラック上に位置する提示すべき各点の透明度が低くなることである。さらに、1つの第1の属性情報が複数の第2の属性情報に対応することを採用することもできる。本明細書では一例のみを示すが、ジェスチャトラックに関する第1の属性情報とジェスチャトラックに関する第2の属性情報との間の対応関係は、実際の要件に従って特に設定することができ、本発明の実施形態では特に限定されるものではない。
【００５８】
ステップ400:ジェスチャトラックに関する第2の属性情報に従ってジェスチャトラックを提示する。
【００５９】
描画ツールでは、複数の描画筆致タイプにおいてサポートされており、これらの描画筆致タイプを自由に選択することができ、ユーザによって描画筆致タイプが選択された場合、描画される線は、その描画筆致タイプの特徴を有する。たとえば、描画筆致タイプには、万年筆、毛筆、ワックスクレヨン、およびスプレーガンなどがある。
【００６０】
概して言えば、描画筆致タイプおよび色などの特徴情報を一度選択すれば、特徴情報を頻繁に変更する必要はなく、したがって、ジェスチャトラックの入力では固定の描画筆致タイプおよび色などの特徴情報を使用することができるが、ユーザは、固定の描画筆致タイプおよび色などの特徴情報を修正することが可能であり、このように、入力されたジェスチャトラックが毎回提示される前に、描画筆致タイプおよび色などの特徴情報を獲得する上での問題が回避され、端末資源の消費が低減される。
【００６１】
ジェスチャトラックを提示するのに必要とされる特徴情報には、描画筆致タイプおよび色などの多くのタイプがあり、本発明の実施形態では、第2の属性情報として設定されている特徴情報の値が優先して使用され、第2の属性情報として設定されていない他の特徴情報の値は、特徴情報が記憶されている描画ツールのスペースから獲得することができ、最後に、ジェスチャトラックに関する第2の属性情報および第2の属性情報として設定されていない他の特徴情報に従ってジェスチャトラックが提示されることに留意されたい。
【００６２】
ジェスチャトラック上の各点の選択は、端末の表示画面の表示要件に従って判定することができ、ジェスチャトラック上の各点はまた、解決策を実施するための要件に従って選択することができ、本発明の実施形態では特に限定されるものではないことに留意されたい。
【００６３】
さらに、本発明の実施形態に関係する第1の属性情報が、既存の描画ツールにおける属性情報と同じであり、かつ本発明の実施形態に関係する第1の属性情報および既存の描画ツールにおける属性情報の影響によって第2の属性情報に競合が生じない場合は、本発明の実施形態に示す第2の属性情報と既存の描画ツールにおける属性情報をマージして提示することができ、競合が生じる場合は、本発明の実施形態における第2の属性情報または既存の描画ツールにおける属性情報を選択して提示することに留意されたい。たとえば、描画筆致タイプがスプレーガンであるとき、既存の描画ツールでは、スプレーガンの休止時間が変化すると、点を描画するまばらさが変化し、本発明の実施形態では、スプレーガンの休止時間が変化すると、点を描画する太さが変化する。このようにして、表示の際に2つの表示効果をマージすることができ、すなわちスプレーガンの休止時間が変化すると、点を描画するまばらさおよび太さが同時に変化する。
【００６４】
この実施形態で提供される描画制御方法では、ユーザによって入力されたジェスチャトラックが検出され、このジェスチャトラックは、ユーザが表示画面に対する入力デバイスの非接触式の移動を制御する過程で生成されたジェスチャトラックであり、次いでジェスチャトラックに関する第1の属性情報が獲得され、次いで事前設定された規則およびジェスチャトラックに関する第1の属性情報に従ってジェスチャトラックが認識され、ジェスチャトラックに関する第2の属性情報が獲得され、最後にジェスチャトラックに関する第2の属性情報に従ってジェスチャトラックが提示され、このようにして、ジェスチャトラックに関する第1の属性情報内で、トラックを提示するのに必要とされる特徴情報の一部が保持され、したがって、ユーザがジェスチャトラックの入力を実施するためにあらゆる種類の選択肢を頻繁に手動で切り換えることが回避され、それによって描画操作における複雑さの問題を解決する。
【００６５】
図2は、本発明の別の実施形態で提供される描画制御方法の流れ図である。この実施形態は、図1に示す実施形態に基づいて実施される。図2に示すように、ステップ400の前に、この方法は以下のステップをさらに含む。
【００６６】
ステップ309:描画筆致タイプを獲得する。
【００６７】
本発明の実施形態では、ジェスチャトラックに関する第2の属性情報に従ってジェスチャトラックを提示するステップは、ジェスチャトラックに関する第2の属性情報および描画筆致タイプに従ってジェスチャトラックを提示するステップを特に含む。
【００６８】
概して言えば、描画筆致タイプは、一度選択すれば、頻繁に変更する必要はないが、非常に高い描画要件を有するユーザの中には、ユーザの描画要件を満たすために描画筆致タイプを頻繁に変更する必要があるユーザもいる。したがって、これを考慮して、本発明の実施形態では、ジェスチャトラックの描画筆致タイプを適時に更新するために、描画筆致タイプを各ジェスチャトラックの前に獲得することもできる。
【００６９】
この実施形態では、固定の描画筆致タイプを常に使用するのではなく、第1に描画筆致タイプが考察され、次いで描画筆致タイプおよびジェスチャトラックに関する第2の属性情報を使用することによって、ジェスチャトラックが表示画面上に提示され、このようにして、描画処理全体において、ユーザによって適時に置き換えられた描画筆致タイプを使用することによって、ジェスチャトラックを提示することができる。
【００７０】
端末は、従来の方式を使用することによって制御することができ、それに加えて、端末は、ユーザによって入力されたジェスチャをさらに受け取ることができ、次いで受け取ったジェスチャと事前に記憶されたジェスチャとを整合させることができ、事前に記憶されたジェスチャが、受け取ったジェスチャに整合するジェスチャを有する場合、そのジェスチャに対応するジェスチャコマンドをさらに獲得することができることに留意されたい。
【００７１】
本明細書では、事前に記憶されたジェスチャと受け取ったジェスチャとを比較するとき、既存のグラフィックス整合アルゴリズム、たとえば形状整合アルゴリズムを使用して、事前に記憶されたジェスチャと受け取ったジェスチャとの間の類似性を計算することができることに留意されたい。事前に記憶されたジェスチャが受け取ったジェスチャと同じまたは類似であるかどうかが判定され、グラフィックスの類似性が測定され、グラフィックス間の類似性の値が戻される。グラフィック整合方法は、平行移動、回転、および拡大縮小などの幾何学的な変換に対して変化しない。グラフィックスの類似性は、測定可能で、容易に計算できるべきであり、整合アルゴリズムに従って取得される判定は、人間の直感と一致しているべきである。
【００７２】
事前に記憶されたジェスチャコマンドは、端末が工場によって配送されるときに設定することができ、またはユーザによって事前設定することができ、またはネットワークからダウンロードして端末に保存することができる。本発明の実施形態に関係するいくつかのジェスチャの動作処理について、以下で詳細に説明する。
【００７３】
図3は、本発明の別の実施形態で提供される描画制御方法の流れ図である。この実施形態は、図2に示す実施形態に基づいて実施される。図3に示すように、ステップ309は、以下のステップを特に含む。
【００７４】
ステップ3091:ユーザによって入力された第1のジェスチャコマンドを獲得する。
【００７５】
ステップ3092:第1のジェスチャコマンドに従って描画筆致タイプを判定する。
【００７６】
任意選択で、第1のジェスチャコマンドに従って、最初のジェスチャに対応する描画筆致タイプが判定される。
【００７７】
第1のジェスチャコマンドと描画筆致タイプとの間のマッピング関係が端末内に事前に記憶されており、それぞれの第1のジェスチャコマンドは、1つの描画筆致タイプに対応する。最初のジェスチャが事前に記憶された最初のジェスチャに整合するとき、第1のジェスチャコマンドと描画筆致タイプとの間の事前に記憶されたマッピング関係を検索して、第1のジェスチャコマンドに対応する描画筆致タイプを取得する。
【００７８】
ユーザによって入力された第1のジェスチャコマンドが獲得され、次いで第1のジェスチャコマンドに従って描画筆致タイプが判定され、したがって、ユーザは、ジェスチャコマンドを通じて描画筆致タイプを柔軟に制御することができ、ユーザの描画処理はより一貫した平滑なものになり、実際に描画する感覚により近づき、それによって端末の使用の容易さが改善される。
【００７９】
任意選択で、第1のジェスチャコマンドに従って少なくとも1つの描画筆致タイプが提示され、次いで少なくとも1つの描画筆致タイプに関してユーザによって行われた選択を受け取ることによって描画筆致タイプが判定される。
【００８０】
この方法では、第1のジェスチャコマンドは、描画筆致タイプの一部またはすべてを呼び出すために使用されるコマンドであり、次いで描画筆致タイプに関する選択を行うようにユーザに指示し、このようにして、ユーザは、簡単なジェスチャ呼出しコマンドおよび選択動作を通じて描画筆致タイプの選択を実施することができ、それによって描画処理をより容易に実施し、端末の使用の容易さを提供することができる。
【００８１】
図4は、本発明の別の実施形態で提供される描画制御方法の流れ図である。この実施形態は、図1、図2、および図3に示す実施形態に基づいて実施される。図4は、図3に基づいて実施形態を実施する流れ図を示し、この方法は、以下のステップをさらに含む。
【００８２】
ステップ500:ユーザによって入力された第2のジェスチャコマンドを獲得する。
【００８３】
ステップ600:第2のジェスチャコマンドに従って描画筆致色を判定する。
【００８４】
図4のステップ3091-3092-500-600の実行順序は単なる一例であり、特有の実施処理はまた、ステップ500-600-3091-3092とすることもできる。
【００８５】
本発明の実施形態では、ジェスチャトラックに関する第2の属性情報に従ってジェスチャトラックを提示するステップは、ジェスチャトラックに関する第2の属性情報および描画筆致色に従ってジェスチャトラックを提示するステップ、またはジェスチャトラックに関する第2の属性情報、描画筆致タイプ、および描画筆致色に従ってジェスチャトラックを提示するステップを特に含む。
【００８６】
任意選択で、第2のジェスチャコマンドと共通の描画筆致色との間のマッピング関係が端末内に事前に記憶されており、それぞれの第2のジェスチャコマンドは、1つの描画筆致色に対応する。第2のジェスチャコマンドが事前に記憶された第2のジェスチャコマンドに整合するとき、事前に記憶された第2のジェスチャコマンドと描画筆致色との間のマッピング関係を検索して、第2のジェスチャコマンドに対応する描画筆致タイプを取得する。
【００８７】
本発明の実施形態では、ユーザによって入力された第2のジェスチャコマンドが獲得され、次いで第2のジェスチャコマンドに従って描画筆致色が判定され、したがって、ユーザは、ジェスチャコマンドを通じて描画筆致色を柔軟に制御することができ、ユーザの描画処理はより一貫した平滑なものになり、実際に描画する感覚により近づき、それによって端末の使用の容易さが改善される。
【００８８】
任意選択で、第2のジェスチャコマンドに従って色描画ボードが提示され、次いで色描画ボード内で色に関してユーザによって行われた選択を受け取ることによって描画筆致色が判定される。
【００８９】
この方法では、第2のジェスチャコマンドは、描画筆致色の一部またはすべてを呼び出すために使用されるコマンドであり、次いで描画筆致色に関する選択を行うようにユーザに指示し、このようにして、ユーザは、簡単なジェスチャ呼出しコマンドおよび選択動作を通じて描画筆致色の選択を実施することができ、それによって描画処理をより容易に実施し、端末の使用の容易さを提供することができる。
【００９０】
図5は、本発明の別の実施形態で提供される描画制御方法の流れ図である。この実施形態は、図1、図2、図3、および図4に示す実施形態に基づいて実施される。図5は、図4に基づいて実施形態を実施する流れ図を示し、この方法は、以下のステップをさらに含む。
【００９１】
ステップ700:ユーザによって入力された第3のジェスチャコマンドを獲得する。
【００９２】
ステップ800:第3のジェスチャコマンドに従って、表示画面上に提示されたジェスチャトラックの一部またはすべてを削除する動作を実行する。
【００９３】
本発明の実施形態では、ユーザによって入力された第3のジェスチャコマンドが獲得され、次いで第3のジェスチャコマンドに従ってジェスチャトラックの一部またはすべてを削除する動作が実行され、したがって、ユーザは、ジェスチャコマンドを通じてジェスチャトラックを柔軟に修正することができ、それによって端末の使用の容易さが改善することができる。
【００９４】
本発明のすべての実施形態で実施される方法は、描画に限定されるものではなく、たとえばショートメッセージが入力されるなど、端末内に情報が入力されるような他の状況で使用することもでき、すなわちユーザがショートメッセージ情報を入力すると、端末はまた、ジェスチャトラックに関する獲得した第1の属性情報に従って第2の属性情報を獲得することができ、最後に第2の属性情報に従ってユーザのジェスチャトラックを提示することができ、このように、ユーザによって入力されるジェスチャトラックは単一ではなく、ジェスチャトラックに関する第1の属性情報を自由に調整することによって、提示されるジェスチャトラックの太さ、透明度などを調節することができることに留意されたい。また、そのような機能のため、ユーザは、入力情報の太さを好都合に増大させることができ、したがって、視力の弱い人でも、端末をより良好に使用することによって内容を入力することができる。
【００９５】
図6は、本発明の一実施形態で提供される描画制御装置の概略構造図である。図6に示す描画制御装置は、検出モジュール61、第1の属性情報獲得モジュール62、第2の属性情報獲得モジュール63、および提示モジュール64を含む。
【００９６】
検出モジュール61は、ユーザによって入力されたジェスチャトラックを検出するように構成され、このジェスチャトラックは、ユーザの少なくとも1つの指が移動する過程で生成されたジェスチャトラックであり、第1の属性情報獲得モジュール62は、検出モジュール61によって検出されたジェスチャトラックに従ってジェスチャトラックに関する第1の属性情報を獲得するように構成され、第2の属性情報獲得モジュール63は、事前設定された規則および第1の属性情報獲得モジュール62によって獲得されたジェスチャトラックに関する第1の属性情報に従ってジェスチャトラックを認識して、ジェスチャトラックに関する第2の属性情報を獲得するように構成され、提示モジュール64は、第2の属性情報獲得モジュール63によって獲得されたジェスチャトラックに関する第2の属性情報に従ってジェスチャトラックを提示するように構成されている。
【００９７】
ジェスチャトラックに関する第1の属性情報は、描画制御装置によって認識されたジェスチャトラックに関する特徴情報であることに留意されたい。たとえば、ジェスチャトラックに関する第1の属性情報は、以下の属性、すなわちジェスチャトラック上の各点と表示画面との間の距離、ジェスチャトラックの移動速度または加速度、およびジェスチャトラック上の各点の休止時間のうちのいずれか1つまたはそれらの組合せを含む。上記の第1の属性情報は単なる一例であり、他の属性情報をさらに使用することもでき、すなわち本発明の実施形態では、ジェスチャトラックを認識するために端末によって使用されるすべての属性情報を適用することができ、これは本発明の実施形態の保護範囲内に入る。
【００９８】
ジェスチャトラックに関する第2の属性情報は、ジェスチャトラックを表示するために描画制御装置によって必要とされる特徴情報の一部またはすべてを含むことに留意されたい。たとえば、ジェスチャトラックに関する第2の属性情報は、以下の属性、すなわちジェスチャトラック上に位置する提示すべき各点の太さ、およびジェスチャトラック上に位置する提示すべき各点の透明度のうちのいずれか1つまたはそれらの組合せを含む。上記の第2の属性情報は単なる一例であり、他の属性情報をさらに使用することもでき、すなわち本発明の実施形態では、ジェスチャトラックを表示するために端末によって必要とされるすべての特徴情報を適用することができ、これは本発明の実施形態の保護範囲内に入る。
【００９９】
事前設定された規則は、ジェスチャトラックに関する第1の属性情報とジェスチャトラックに関する第2の属性情報との間の事前に記憶された対応関係である。事前設定された規則のいくつかの実装形態の例については、方法の実施形態における関連する説明を参照することができ、これらの詳細について、本明細書では繰り返し説明しないこととする。
【０１００】
ジェスチャトラックに関する第1の属性情報とジェスチャトラックに関する第2の属性情報との間の対応関係は離散的なものとすることができ、すなわちジェスチャトラックに関する第1の属性情報は異なる間隔に分割され、各間隔はジェスチャトラックに関する第2の属性情報の値に対応する;またはこの対応関係は連続的なものとすることができ、すなわち間隔に分割されないが、変換係数が事前設定され、この変換係数を使用してジェスチャトラックに関する第1の属性情報を変換してジェスチャトラックに関する第2の属性情報を取得し、すなわちジェスチャトラックに関する第1の属性情報に事前設定された変換係数を掛けてジェスチャトラックに関する第2の属性情報を取得することにさらに留意されたい。
【０１０１】
ジェスチャトラックを提示するのに必要とされる特徴情報には、描画筆致タイプおよび色などの多くのタイプがあり、本発明の実施形態では、第2の属性情報として設定されている特徴情報の値が優先して使用され、第2の属性情報として設定されていない他の特徴情報の値は、特徴情報が記憶されている描画ツールのスペースから獲得することができ、最後に、ジェスチャトラックに関する第2の属性情報および第2の属性情報として設定されていない他の特徴情報に従ってジェスチャトラックが提示されることに留意されたい。
【０１０２】
この実施形態で提供される描画制御装置では、検出モジュール61は、ユーザによって入力されたジェスチャトラックを検出し、このジェスチャトラックは、ユーザの少なくとも1つの指が移動する処理で生成されたジェスチャトラックであり、次いで第1の属性情報獲得モジュール62は、検出モジュール61によって検出されたジェスチャトラックに従ってジェスチャトラックに関する第1の属性情報を獲得し、次いで第2の属性情報獲得モジュール63は、事前設定された規則および第1の属性情報獲得モジュール62によって獲得されたジェスチャトラックに関する第1の属性情報に従ってジェスチャトラックを認識して、ジェスチャトラックに関する第2の属性情報を獲得し、最後に提示モジュール64は、第2の属性情報獲得モジュール63によって獲得されたジェスチャトラックに関する第2の属性情報に従ってジェスチャトラックを提示し、このようにして、ジェスチャトラックに関する第1の属性情報内で、トラックを提示するのに必要とされる特徴情報の一部が保持され、したがって、ユーザがジェスチャトラックの入力を実施するためにあらゆる種類の選択肢を頻繁に手動で切り換えることが回避され、それによって描画操作における複雑さの問題を解決する。
【０１０３】
任意選択の実装形態では、図7に示すように、描画制御装置は、描画筆致タイプを獲得するように構成された描画筆致タイプ獲得モジュール71をさらに含み、この状況で、提示モジュール64は、第2の属性情報獲得モジュール63によって獲得されたジェスチャトラックに関する第2の属性情報および描画筆致タイプ獲得モジュール71によって獲得された描画筆致タイプに従ってジェスチャトラックを提示するように特に構成されている。
【０１０４】
概して言えば、描画筆致タイプは、一度選択すれば、頻繁に変更する必要はないが、非常に高い描画要件を有するユーザの中には、ユーザの描画要件を満たすために描画筆致タイプを頻繁に変更する必要があるユーザもいる。したがって、これを考慮して、本発明の実施形態では、描画筆致タイプ獲得モジュール71は、ジェスチャトラックの描画筆致タイプを適時に更新するために、描画筆致タイプを各ジェスチャトラックの前に獲得するようにさらに設定することもできる。
【０１０５】
この実施形態では、描画筆致タイプ獲得モジュール71は、固定の描画筆致タイプを常に使用するのではなく、第1に描画筆致タイプを考察し、次いで描画筆致タイプおよびジェスチャトラックに関する第2の属性情報を使用することによって、ジェスチャトラックが表示画面上に表示され、このようにして、描画制御装置は、ユーザによって適時に置き換えられた描画筆致タイプを使用することによって、ジェスチャトラックを表示することができる。
【０１０６】
任意選択の実装形態では、図8に示すように、描画制御装置は、ユーザによって入力された第1のジェスチャコマンドを獲得するように構成されたジェスチャコマンド獲得モジュール81をさらに含む。この状況で、描画筆致タイプ獲得モジュール71は、ジェスチャコマンド獲得モジュール81によって獲得された第1のジェスチャコマンドに従って描画筆致タイプを判定するように特に構成されている。ユーザによって入力された第1のジェスチャコマンドが獲得され、次いで第1のジェスチャコマンドに従って描画筆致タイプが判定され、したがって、ユーザは、ジェスチャコマンドを通じて描画筆致タイプを柔軟に制御することができ、ユーザの描画処理はより一貫した平滑なものになり、実際に描画する感覚により近づき、それによって端末の使用の容易さが改善され、あるいは
ジェスチャコマンド獲得モジュール81によって獲得された第1のジェスチャコマンドに従って少なくとも1つの描画筆致タイプが提示され、少なくとも1つの描画筆致タイプに関してユーザによって行われた選択を受け取ることによって描画筆致タイプが判定され、ジェスチャコマンド獲得モジュール81は、描画筆致タイプの一部またはすべてを呼び出し、次いで描画筆致タイプに関する選択を行うようにユーザに指示し、このようにして、ユーザは、簡単なジェスチャ呼出しコマンドおよび選択動作によって描画筆致タイプの選択を実施することができ、それによって描画処理をより容易に実施し、端末の使用の容易さを提供することができる。
【０１０７】
任意選択の実装形態では、図9に示すように、描画制御装置は、ジェスチャコマンド獲得モジュール81によって獲得された第2のジェスチャコマンドに従って描画筆致色を判定するように構成された描画筆致色獲得モジュール91をさらに含み、提示モジュール64は、ジェスチャトラックに関する第2の属性情報、描画筆致タイプ、および描画筆致色に従ってジェスチャトラックを提示するように特に構成されている。
【０１０８】
任意選択で、筆致タイプを頻繁に変更する必要がない状況では、提示モジュール64は、ジェスチャトラックに関する第2の属性情報および描画筆致色に従ってジェスチャトラックを提示するようにさらに特に構成することができる。
【０１０９】
本発明の実施形態では、描画筆致色獲得モジュール91は、ユーザによって入力された第2のジェスチャコマンドを獲得し、次いで第2のジェスチャコマンドに従って描画筆致色を判定し、したがって、ユーザは、ジェスチャコマンドを通じて描画筆致色を柔軟に制御することができ、このようにして、ユーザの描画処理はより一貫した平滑なものになり、実際に描画する感覚により近づき、それによって端末の使用の容易さが改善される。
【０１１０】
任意選択の実装形態では、図10に示すように、図8に基づく装置によって実施される装置モジュール図が提供され、ジェスチャコマンド獲得モジュール81は、ユーザによって入力された第3のジェスチャコマンドを獲得するようにさらに構成され、描画制御装置は、ジェスチャコマンド獲得モジュール81によって獲得された第3のジェスチャコマンドに従って、提示されたジェスチャトラックの一部またはすべてを削除する動作を実行するように構成された削除モジュール101をさらに含む。
【０１１１】
任意選択で、図8に基づく装置に基づいて、削除モジュール101をさらに追加することもできるが、これらの詳細について、本明細書では繰り返し説明しないこととする。
【０１１２】
本発明の実施形態では、ユーザによって入力された第3のジェスチャコマンドが獲得され、次いで第3のジェスチャコマンドに従ってジェスチャトラックの一部またはすべてを削除する動作が実行され、したがって、ユーザは、ジェスチャコマンドを通じてジェスチャトラックを柔軟に修正することができ、それによって端末の使用の容易さが改善することができる。
【０１１３】
図11は、本発明の一実施形態で提供される端末の概略構造図である。
【０１１４】
装置110は、表示画面111、入力装置112、メモリ113、中央処理装置114、およびバス115を含む。
【０１１５】
表示画面111は、陰極線管(CRT、Cathode Ray Tube)表示画面、液晶表示(LCD、Liquid Crystal Display)画面、またはタッチ式の表示画面(Touch Display Screen)などの適切な装置とすることができ、バス115を通じて命令を受け取ることによって、表示画面の画面上にグラフフィカルユーザインターフェースが提示される。
【０１１６】
入力装置112は、キーボード、マウス、トラック認識器、および音声認識インターフェースなどの任意の適切な装置を含むことができ、ユーザの入力を受け取り、制御入力を生成し、バス115を通じて制御入力を中央処理装置または別の構成要素へ送るように構成されている。特に、装置110の表示画面がタッチスクリーンを有するとき、この表示画面を同時に入力装置とすることもできる。
【０１１７】
さらに、メモリ113は、RAMおよびROM、または任意の固定の記憶媒体もしくは移動可能な記憶媒体を含むことができ、本発明の実施形態を実行できるプログラムまたは本発明の実施形態のアプリケーションデータベースを記憶し、別の構成要素によって引き起こされるトラックの移動など、別の構成要素の入力、または記憶されている情報を、バス115を通じて受け取るように構成されている。
【０１１８】
中央処理装置114は、メモリ113内に記憶されている本発明の実施形態のプログラムを実行し、バスを通じて別の装置との双方向通信を実行するように構成されている。
【０１１９】
メモリ113と中央処理装置114はまた、本発明の実施形態を適用する物理モジュールに一体化することができ、物理モジュール上では、本発明の実施形態を実施するプログラムが記憶されて動作する。
【０１２０】
装置110の構成要素は、バスシステム115を通じてともに結合され、データバスに加えて、バスシステム115は、電力バス、制御バス、および状態信号バスをさらに含むことができる。しかし、説明を明瞭にするために、この図では、あらゆる種類のバスをバスシステム115として示す。
【０１２１】
本発明の実施形態では、装置110のユニットは、以下の内容を実行する。入力装置112は、ユーザによって入力されたジェスチャトラックを検出するように構成され、このジェスチャトラックは、ユーザの少なくとも1つの指が移動する過程で生成されたジェスチャトラックであり、中央処理装置114は、入力装置112によって獲得されたジェスチャトラックに関する第1の属性情報を解析するように構成され、事前設定された規則およびジェスチャトラックに関する第1の属性情報に従ってジェスチャトラックを認識して、ジェスチャトラックに関する第2の属性情報を獲得するようにさらに構成され、表示画面111は、中央処理装置によって獲得されたジェスチャトラックに関する第2の属性情報に従ってジェスチャトラックを提示するように構成され、メモリ113は、事前設定された規則を記憶するように構成されている。
【０１２２】
ジェスチャトラックに関する第1の属性情報は、描画制御装置によって認識されたジェスチャトラックに関する特徴情報であることに留意されたい。たとえば、ジェスチャトラックに関する第1の属性情報は、以下の属性、すなわちジェスチャトラック上の各点と表示画面との間の距離、ジェスチャトラックの移動速度または加速度、およびジェスチャトラック上の各点の休止時間のうちのいずれか1つまたはそれらの組合せを含む。上記の第1の属性情報は単なる一例であり、他の属性情報をさらに使用することもでき、すなわち本発明の実施形態では、ジェスチャトラックを認識するために端末によって使用されるすべての属性情報を適用することができ、これは本発明の実施形態の保護範囲内に入る。
【０１２３】
ジェスチャトラックに関する第2の属性情報は、ジェスチャトラックを表示するために描画制御装置によって必要とされる特徴情報の一部またはすべてを含むことに留意されたい。たとえば、ジェスチャトラックに関する第2の属性情報は、以下の属性、すなわちジェスチャトラック上に位置する提示すべき各点の太さ、およびジェスチャトラック上に位置する提示すべき各点の透明度のうちのいずれか1つまたはそれらの組合せを含む。上記の第2の属性情報は単なる一例であり、他の属性情報をさらに使用することもでき、すなわち本発明の実施形態では、ジェスチャトラックを表示するために端末によって必要とされるすべての特徴情報を適用することができ、これは本発明の実施形態の保護範囲内に入る。
【０１２４】
事前設定された規則は、ジェスチャトラックに関する第1の属性情報とジェスチャトラックに関する第2の属性情報との間の事前に記憶された対応関係である。事前設定された規則のいくつかの実装形態の例については、方法の実施形態における関連する説明を参照することができ、これらの詳細について、本明細書では繰り返し説明しないこととする。
【０１２５】
ジェスチャトラックに関する第1の属性情報とジェスチャトラックに関する第2の属性情報との間の対応関係は離散的なものとすることができ、すなわちジェスチャトラックに関する第1の属性情報は異なる間隔に分割され、各間隔はジェスチャトラックに関する第2の属性情報の値に対応し、またはこの対応関係は連続的なものとすることができ、すなわち間隔に分割されないが、変換係数が事前設定され、この変換係数を使用してジェスチャトラックに関する第1の属性情報を変換してジェスチャトラックに関する第2の属性情報を取得し、すなわちジェスチャトラックに関する第1の属性情報に事前設定された変換係数を掛けてジェスチャトラックに関する第2の属性情報を取得することにさらに留意されたい。
【０１２６】
ジェスチャトラックを提示するのに必要とされる特徴情報には、描画筆致タイプおよび色などの多くのタイプがあり、本発明の実施形態では、第2の属性情報として設定されている特徴情報の値が優先して使用され、第2の属性情報として設定されていない他の特徴情報の値は、特徴情報が記憶されている描画ツールのスペースから獲得することができ、最後に、ジェスチャトラックに関する第2の属性情報および第2の属性情報として設定されていない他の特徴情報に従ってジェスチャトラックが提示されることに留意されたい。
【０１２７】
この実施形態で提供される端末では、入力装置112は、ユーザによって入力されたジェスチャトラックを検出するように構成され、このジェスチャトラックは、ユーザの少なくとも1つの指が移動する過程で生成されたジェスチャトラックであり、中央処理装置114は、入力装置112によって獲得されたジェスチャトラックに関する第1の属性情報を解析するように構成され、中央処理装置114は、事前設定された規則およびジェスチャトラックに関する第1の属性情報に従ってジェスチャトラックを認識して、ジェスチャトラックに関する第2の属性情報を獲得するようにさらに構成され、表示画面111は、中央処理装置によって獲得されたジェスチャトラックに関する第2の属性情報に従ってジェスチャトラックを提示するように構成され、このようにして、ジェスチャトラックに関する第1の属性情報内で、トラックを提示するのに必要とされる特徴情報の一部が保持され、したがって、ユーザがジェスチャトラックの入力を実施するためにあらゆる種類の選択肢を頻繁に手動で切り換えることが回避され、それによって描画操作における複雑さの問題を解決する。
【０１２８】
任意選択で、中央処理装置114は、描画筆致タイプを獲得するようにさらに構成され、表示画面111は、ジェスチャトラックに関する第2の属性情報および描画筆致タイプに従ってジェスチャトラックを提示するように特に構成されている。
【０１２９】
概して言えば、描画筆致タイプは、一度選択すれば、頻繁に変更する必要はないが、非常に高い描画要件を有するユーザの中には、ユーザの描画要件を満たすために描画筆致タイプを頻繁に変更する必要があるユーザもいる。したがって、これを考慮して、本発明の実施形態では、表示画面111は、ジェスチャトラックの描画筆致タイプを適時に更新するために、描画筆致タイプを各ジェスチャトラックの前に獲得するようにさらに設定することもできる。
【０１３０】
任意選択で、入力装置112は、ユーザによって入力された第1のジェスチャコマンドを獲得するようにさらに構成され、中央処理装置は、入力装置112によって獲得された第1のジェスチャコマンドに従って描画筆致タイプを判定するように特に構成されている。固定の描画筆致タイプを常に使用するのではなく、第1に描画筆致タイプが考察され、次いで描画筆致タイプおよびジェスチャトラックに関する第2の属性情報を使用することによって、ジェスチャトラックが表示画面上に提示され、このようにして、端末は、ユーザによって適時に置き換えられた描画筆致タイプを使用することによって、ジェスチャトラックを表示することができる。
【０１３１】
任意選択で、中央処理装置114は、入力装置112によって獲得された第1のジェスチャコマンドに従って、最初のジェスチャに対応する描画筆致タイプを判定するように特に構成され、ユーザによって入力された第1のジェスチャコマンドが獲得され、次いで第1のジェスチャコマンドに従って描画筆致タイプが判定され、したがって、ユーザは、ジェスチャコマンドを通じて描画筆致タイプを柔軟に制御することができ、ユーザの描画処理はより一貫した平滑なものになり、実際に描画する感覚により近づき、それによって端末の使用の容易さが改善され;あるいは
入力装置112によって獲得された第1のジェスチャコマンドに従って少なくとも1つの描画筆致タイプが提示され、少なくとも1つの描画筆致タイプに関してユーザによって行われた選択を入力装置112によって受け取ることによって描画筆致タイプが判定され、このようにして、ユーザは、簡単なジェスチャ呼出しコマンドおよび選択動作を通じて描画筆致タイプの選択を実施することができ、それによって描画処理をより容易に実施し、端末の使用の容易さを提供することができる。
【０１３２】
任意選択で、入力装置112は、ユーザによって入力された第2のジェスチャコマンドを獲得するようにさらに構成され、中央処理装置114は、入力装置112によって獲得された第2のジェスチャコマンドに従って描画筆致色を判定するようにさらに構成され、表示画面111は、ジェスチャトラックに関する第2の属性情報および描画筆致色に従ってジェスチャトラックを提示するように、またはジェスチャトラックに関する第2の属性情報、描画筆致タイプ、および描画筆致色に従ってジェスチャトラックを提示するように特に構成されている。
【０１３３】
ユーザによって入力された第2のジェスチャコマンドが獲得され、次いで第2のジェスチャコマンドに従って描画筆致色が判定され、したがって、ユーザは、ジェスチャコマンドを通じて描画筆致色を柔軟に制御することができ、ユーザの描画処理はより一貫した平滑なものになり、実際に描画する感覚により近づき、それによって端末の使用の容易さが改善される。
【０１３４】
任意選択で、入力装置112は、ユーザによって入力された第3のジェスチャコマンドを獲得するようにさらに構成され、中央処理装置114は、入力装置112によって獲得された第3のジェスチャコマンドに従って、提示されたジェスチャトラックのすべてまたは一部を削除する動作を実行するように表示画面111に指示するようにさらに構成されている。
【０１３５】
ユーザによって入力された第3のジェスチャコマンドが獲得され、次いで第3のジェスチャコマンドに従ってジェスチャトラックの一部またはすべてを削除する動作が実行され、したがって、ユーザは、ジェスチャコマンドを通じてジェスチャトラックを柔軟に修正することができ、それによって端末の使用の容易さが改善することができる。
【０１３６】
この実施形態における端末のハードウェアは、図1〜図5に示す描画制御方法の処理を実施するように構成することができ、端末のハードウェアの動作原理の詳細について、本明細書では繰り返し説明しないが、詳細については、方法の実施形態の説明を参照することができる。
【０１３７】
本発明のすべての実施形態に関係する端末は、端末の表示画面との直接接触を有するジェスチャ、たとえば端末の表示画面の表面上のシングルクリック、ダブルクリック、移動などを認識できる端末とすることができ、または端末の表示画面に直接接触しないジェスチャ、たとえば手が表示画面の前を移動する動作などを含めて、端末の表示画面付近を移動するときに認識されるジェスチャを認識できる端末とすることができる。たとえば、端末は、モバイルフォン、タブレットコンピュータ、ipadとすることができ、またはプロジェクタ、テレビジョン、もしくはデスクトップコンピュータなどとすることができる。
【０１３８】
この実施形態では、この実施形態で提供される端末の場合、ユーザによって入力されたジェスチャトラックが検出され、このジェスチャトラックは、ユーザが表示画面に対する入力デバイスの非接触式の移動を制御する過程で生成されたジェスチャトラックであり、次いでジェスチャトラックに関する第1の属性情報が獲得され、次いで事前設定された規則およびジェスチャトラックに関する第1の属性情報に従ってジェスチャトラックが認識され、ジェスチャトラックに関する第2の属性情報が獲得され、最後にジェスチャトラックに関する第2の属性情報に従ってジェスチャトラックが提示され、ジェスチャトラックに関する第1の属性情報内で、トラックを提示するのに必要とされる特徴情報の一部が保持され、したがって、ユーザがジェスチャトラックの入力を実施するためにあらゆる種類の選択肢を頻繁に手動で切り換えることが回避され、それによって描画操作における複雑さの問題を解決する。
【０１３９】
各実施形態による方法のステップのすべてまたは一部は、関連するハードウェアに指示するプログラムによって実施できることが、当業者には理解されるはずである。上記のプログラムは、コンピュータ可読記憶媒体内に記憶することができる。プログラムは、起動すると、上記の各実施形態による方法のステップを実行する。記憶媒体は、ROM、RAM、磁気ディスク、または光ディスクなど、プログラムコードを記憶することが可能な任意の媒体とすることができる。
【０１４０】
最後に、上記の実施形態は、本発明の技術的な解決策について説明することだけを目的として提供されるものであり、本発明を限定しようとするものではないことに留意されたい。本発明について実施形態を参照して詳細に説明したが、修正形態または置換形態によって対応する技術的な解決策の本質が本発明の概念および範囲から逸脱しない限り、これらの実施形態に記載の技術的な解決策に修正を加えることができ、またはこれらの技術的な解決策におけるいくつかの技術的な特徴に、同等の置換えを行うことができることが、当業者には理解されるはずである。
【符号の説明】
【０１４１】
11  区間
12  区間
13  区間
14  区間
15  区間
16  区間
61  検出モジュール
62  第1の属性情報獲得モジュール
63  第2の属性情報獲得モジュール
64  提示モジュール
71  描画筆致タイプ獲得モジュール
81  ジェスチャコマンド獲得モジュール
91  描画筆致色獲得モジュール
101  削除モジュール
110  装置
111  表示画面
112  入力装置
113  メモリ
114  処理装置
115  バス
【図１】
2015504565.tif 000003
【図１Ａ】
2015504565.tif 000004
【図１Ｂ】
2015504565.tif 000005
【図１Ｃ】
2015504565.tif 000006
【図１Ｄ】
2015504565.tif 000007
【図１Ｅ】
2015504565.tif 000008
【図１Ｆ】
2015504565.tif 000009
【図２】
2015504565.tif 000010
【図３】
2015504565.tif 000011
【図４】
2015504565.tif 000012
【図５】
2015504565.tif 000013
【図６】
2015504565.tif 000014
【図７】
2015504565.tif 000015
【図８】
2015504565.tif 000016
【図９】
2015504565.tif 000017
【図１０】
2015504565.tif 000018
【図１１】
2015504565.tif 000019
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
描画制御方法であって、
ユーザによって入力されたジェスチャトラックを検出するステップであって、前記ジェスチャトラックが、前記ユーザが表示画面に対する入力デバイスの非接触式の移動を制御する過程で生成されたジェスチャトラックである、検出するステップと、
前記ジェスチャトラックに関する第1の属性情報を獲得するステップであって、前記ジェスチャトラックに関する前記第1の属性情報が、端末によって認識された前記ジェスチャトラックに関する特徴情報である、獲得するステップと、
事前設定された規則および前記ジェスチャトラックに関する前記第1の属性情報に従って前記ジェスチャトラックを認識して、前記ジェスチャトラックに関する第2の属性情報を獲得するステップであって、前記ジェスチャトラックに関する前記第2の属性情報が、前記ジェスチャトラックを表示するために前記端末によって必要とされる前記特徴情報の一部またはすべてを含む、獲得するステップと、
前記ジェスチャトラックに関する前記第2の属性情報に従って前記ジェスチャトラックを提示するステップと
を含む、方法。
【請求項２】
前記ジェスチャトラックに関する前記第1の属性情報が、以下の属性、すなわち
前記ジェスチャトラック上の各点と前記表示画面との間の距離、
前記ジェスチャトラック上の各点の移動速度または加速度、および
前記ジェスチャトラック上の各点の休止時間
のうちのいずれか1つまたはそれらの組合せを含む、請求項1に記載の方法。
【請求項３】
前記ジェスチャトラックに関する前記第2の属性情報が、以下の属性、すなわち
前記ジェスチャトラック上に位置する提示すべき各点の太さ、および
前記ジェスチャトラック上に位置する提示すべき各点の透明度
のうちのいずれか1つまたはそれらの組合せを含む、請求項1または2に記載の方法。
【請求項４】
前記ジェスチャトラックに関する前記第2の属性情報に従って前記ジェスチャトラックを前記提示するステップの前に、
描画筆致タイプを獲得するステップをさらに含み、
前記ジェスチャトラックに関する前記第2の属性情報に従って前記ジェスチャトラックを前記提示するステップが、
前記ジェスチャトラックに関する前記第2の属性情報および前記描画筆致タイプに従って前記ジェスチャトラックを提示するステップを特に含む、請求項1から3のいずれか一項に記載の方法。
【請求項５】
前記第1のジェスチャコマンドに従って前記描画筆致タイプを前記判定するステップが、
前記第1のジェスチャコマンドに従って最初のジェスチャに対応する前記描画筆致タイプを判定するステップ、または
前記第1のジェスチャコマンドに従って少なくとも1つの描画筆致タイプを提示するステップ、および
前記少なくとも1つの描画筆致タイプに関して前記ユーザによって行われた選択を受け取ることによって前記描画筆致タイプを判定するステップ
を特に含む、請求項4に記載の方法。
【請求項６】
前記ユーザによって入力された第2のジェスチャコマンドを獲得するステップと、
前記第2のジェスチャコマンドに従って描画筆致色を判定するステップとをさらに含み、
前記ジェスチャトラックに関する前記第2の属性情報に従って前記ジェスチャトラックを前記提示するステップが、
前記ジェスチャトラックに関する前記第2の属性情報および前記描画筆致色に従って前記ジェスチャトラックを提示するステップ、または
前記ジェスチャトラックに関する前記第2の属性情報、前記描画筆致タイプ、および前記描画筆致色に従って前記ジェスチャトラックを提示するステップを特に含む、
請求項1から5のいずれか一項に記載の方法。
【請求項７】
前記ジェスチャトラックに関する前記第1の属性情報が、前記ジェスチャトラック上の各点と前記表示画面との間の前記距離であり、かつ前記ジェスチャトラックに関する前記第2の属性情報が、前記ジェスチャトラック上に位置する提示すべき各点の前記太さであるとき、前記事前設定された規則が、前記ジェスチャトラック上の各点と前記表示画面との間の前記距離が短ければ短いほど、前記ジェスチャトラック上に位置する提示すべき各点の前記太さが太くなること、または前記ジェスチャトラック上の各点と前記表示画面との間の前記距離が短ければ短いほど、前記ジェスチャトラック上に位置する提示すべき各点の前記太さが細くなることである、請求項1から6のいずれか一項に記載の方法。
【請求項８】
前記ジェスチャトラックに関する前記第1の属性情報が前記ジェスチャトラック上の各点と前記表示画面との間の前記距離であり、かつ前記ジェスチャトラックに関する前記第2の属性情報が前記ジェスチャトラック上に位置する提示すべき各点の前記透明度であるとき、前記事前設定された規則が、前記ジェスチャトラック上の各点と前記表示画面との間の前記距離が短ければ短いほど、前記ジェスチャトラック上に位置する提示すべき各点の前記透明度が低くなること、または前記ジェスチャトラック上の各点と前記表示画面との間の前記距離が短ければ短いほど、前記ジェスチャトラック上に位置する提示すべき各点の前記透明度が高くなることである、請求項1から6のいずれか一項に記載の方法。
【請求項９】
前記ジェスチャトラックに関する前記第1の属性情報が前記ジェスチャトラックの前記移動速度または前記加速度であり、かつ前記ジェスチャトラックに関する前記第2の属性情報が前記ジェスチャトラック上に位置する提示すべき各点の前記太さであるとき、前記事前設定された規則が、前記ジェスチャトラックの前記移動速度または前記加速度が低ければ低いほど、前記ジェスチャトラック上に位置する提示すべき各点の前記太さが太くなること、または前記ジェスチャトラックの前記移動速度または前記加速度が低ければ低いほど、前記ジェスチャトラック上に位置する提示すべき各点の前記太さが細くなることである、請求項1から6のいずれか一項に記載の方法。
【請求項１０】
前記ジェスチャトラックに関する前記第1の属性情報が前記ジェスチャトラック上の各点の前記休止時間であり、かつ前記ジェスチャトラックに関する前記第2の属性情報が前記ジェスチャトラック上に位置する提示すべき各点の前記太さであるとき、前記事前設定された規則が、前記ジェスチャトラック上の各点の前記休止時間が長ければ長いほど、前記ジェスチャトラック上に位置する提示すべき各点の前記太さが太くなること、または前記ジェスチャトラック上の各点の前記休止時間が長ければ長いほど、前記ジェスチャトラック上に位置する提示すべき各点の前記太さが細くなることである、請求項1から6のいずれか一項に記載の方法。
【請求項１１】
端末であって、
ユーザによって入力されたジェスチャトラックを検出するように構成された入力装置であって、前記ジェスチャトラックが、前記ユーザが表示画面に対する入力デバイスの非接触式の移動を制御する過程で生成されたジェスチャトラックである、入力装置と、
前記入力装置によって獲得された前記ジェスチャトラックに関する第1の属性情報を解析するように構成された中央処理装置であって、前記ジェスチャトラックに関する前記第1の属性情報が、前記端末によって認識された前記ジェスチャトラックに関する特徴情報とを備え、
前記中央処理装置が、事前設定された規則および前記ジェスチャトラックに関する前記第1の属性情報に従って前記ジェスチャトラックを認識して、前記ジェスチャトラックに関する第2の属性情報を獲得するようにさらに構成され、前記ジェスチャトラックに関する前記第2の属性情報が、前記ジェスチャトラックを表示するために前記端末によって必要とされる前記特徴情報の一部またはすべてを含み、
前記端末が、
前記中央処理装置によって獲得された前記ジェスチャトラックに関する前記第2の属性情報に従って前記ジェスチャトラックを提示するように構成された表示画面と、
前記事前設定された規則を記憶するように構成されたメモリとをさらに備える、
端末。
【請求項１２】
前記ジェスチャトラックに関する前記第1の属性情報が、以下の属性、すなわち
前記ジェスチャトラック上の各点と前記表示画面との間の距離、
前記ジェスチャトラック上の各点の移動速度または加速度、および
前記ジェスチャトラック上の各点の休止時間
のうちのいずれか1つまたはそれらの組合せを含む、請求項11に記載の端末。
【請求項１３】
前記ジェスチャトラックに関する前記第2の属性情報が、以下の属性、すなわち
前記ジェスチャトラック上に位置する提示すべき各点の太さ、および
前記ジェスチャトラック上に位置する提示すべき各点の透明度
のうちのいずれか1つまたはそれらの組合せを含む、請求項11または12に記載の端末。
【請求項１４】
前記中央処理装置が、描画筆致タイプを獲得するようにさらに構成され、
前記表示画面が、前記ジェスチャトラックに関する前記第2の属性情報および前記描画筆致タイプに従って前記ジェスチャトラックを提示するように特に構成されている、
請求項11から13のいずれか一項に記載の端末。
【請求項１５】
前記入力装置が、前記ユーザによって入力された第1のジェスチャコマンドを獲得するようにさらに構成され、
前記中央処理装置が、前記入力装置によって獲得された前記第1のジェスチャコマンドに従って前記描画筆致タイプを判定するように特に構成されている、
請求項14に記載の端末。
【請求項１６】
前記入力装置が、前記ユーザによって入力された第2のジェスチャコマンドを獲得するようにさらに構成され、
前記中央処理装置が、前記入力装置によって獲得された前記第2のジェスチャコマンドに従って描画筆致色を判定するようにさらに構成され、
前記表示画面が、前記ジェスチャトラックに関する前記第2の属性情報および前記描画筆致色に従って前記ジェスチャトラックを提示すること、または前記ジェスチャトラックに関する前記第2の属性情報、前記描画筆致タイプ、および前記描画筆致色に従って前記ジェスチャトラックを提示することを行うように特に構成されている、
請求項11から15のいずれか一項に記載の端末。
【請求項１７】
前記入力装置が、前記ユーザによって入力された第3のジェスチャコマンドを獲得するようにさらに構成され、
前記中央処理装置が、前記入力装置によって獲得された前記第3のジェスチャコマンドに従って、前記提示されたジェスチャトラックのすべてまたは一部を削除する動作を実行するよう前記表示画面に指示するようにさらに構成されている、
請求項11から16のいずれか一項に記載の端末。
【手続補正２】
【補正対象書類名】明細書
【補正対象項目名】０００８
【補正方法】変更
【補正の内容】
【０００８】
第1の態様、または第1の態様の第1の可能な実装形態、もしくは第1の態様の第2の可能な実装形態、もしくは第1の態様の第3の可能な実装形態と組み合わせて、第1の態様の第3の可能な実装形態では、ジェスチャトラックに関する第2の属性情報に従ってジェスチャトラックを提示するステップの前に、この方法は、描画筆致タイプを獲得するステップをさらに含み、ジェスチャトラックに関する第2の属性情報に従ってジェスチャトラックを提示するステップは、ジェスチャトラックに関する第2の属性情報および描画筆致タイプに従ってジェスチャトラックを提示するステップを特に含む。
【手続補正３】
【補正対象書類名】明細書
【補正対象項目名】００１５
【補正方法】変更
【補正の内容】
【００１５】
第1の態様および上記の可能な実装形態と組み合わせて、第1の態様の第10の可能な実装形態では、ジェスチャトラックに関する第1の属性情報がジェスチャトラックの移動速度または加速度であり、かつジェスチャトラックに関する第2の属性情報がジェスチャトラック上に位置する提示すべき各点の太さであるとき、事前設定された規則は、ジェスチャトラックの移動速度または加速度が低ければ低いほど、ジェスチャトラック上に位置する提示すべき各点の太さが太くなること、またはジェスチャトラックの移動速度または加速度が低ければ低いほど、ジェスチャトラック上に位置する提示すべき各点の太さが細くなることである。
【手続補正４】
【補正対象書類名】明細書
【補正対象項目名】００７７
【補正方法】変更
【補正の内容】
【００７７】
第1のジェスチャコマンドと描画筆致タイプとの間のマッピング関係が端末内に事前に記憶されており、それぞれの第1のジェスチャコマンドは、1つの描画筆致タイプに対応する。最初のジェスチャが事前に記憶された最初のジェスチャコマンドに整合するとき、第1のジェスチャコマンドと描画筆致タイプとの間の事前に記憶されたマッピング関係を検索して、第1のジェスチャコマンドに対応する描画筆致タイプを取得する。
【手続補正５】
【補正対象書類名】明細書
【補正対象項目名】０１２８
【補正方法】変更
【補正の内容】
【０１２８】
任意選択で、中央処理装置114は、描画筆致タイプを獲得するようにさらに構成され、表示画面111は、ジェスチャトラックに関する第2の属性情報および描画筆致タイプに従ってジェスチャトラックを提示するように特に構成されている。
【手続補正６】
【補正対象書類名】明細書
【補正対象項目名】０１２９
【補正方法】変更
【補正の内容】
【０１２９】
概して言えば、描画筆致タイプは、一度選択すれば、頻繁に変更する必要はないが、非常に高い描画要件を有するユーザの中には、ユーザの描画要件を満たすために描画筆致タイプを頻繁に変更する必要があるユーザもいる。したがって、これを考慮して、本発明の実施形態では、表示画面111は、ジェスチャトラックの描画筆致タイプを適時に更新するために、描画筆致タイプを各ジェスチャトラックの前に獲得するようにさらに設定することもできる。
【手続補正７】
【補正対象書類名】明細書
【補正対象項目名】０１３２
【補正方法】変更
【補正の内容】
【０１３２】
任意選択で、入力装置112は、ユーザによって入力された第2のジェスチャコマンドを獲得するようにさらに構成され、中央処理装置114は、入力装置112によって獲得された第2のジェスチャコマンドに従って描画筆致色を判定するようにさらに構成され、表示画面111は、ジェスチャトラックに関する第2の属性情報および描画筆致色に従ってジェスチャトラックを提示するように、またはジェスチャトラックに関する第2の属性情報、描画筆致タイプ、および描画筆致色に従ってジェスチャトラックを提示するように特に構成されている。
【国際調査報告】
2015504565.tif 000020
2015504565.tif 000021
2015504565.tif 000022
2015504565.tif 000023